(57)【特許請求の範囲】
【請求項１】
遊技盤に発射された遊技球が始動口装置へ入球することを始動条件として、大当りか否かの大当り抽選を行い、該大当り抽選の結果をもとに図柄表示装置で複数種類の図柄を変動させて表示する図柄変動ゲームを行わせ、前記大当り抽選の結果が肯定の場合に遊技者に大当り遊技が付与される遊技機において、
遊技者が操作可能な演出用操作手段と、
前記図柄変動ゲーム中に前記始動口装置に入球した遊技球を予め定めた規定個数まで始動保留球として記憶する始動記憶手段と、
前記図柄変動ゲームの終了後に前記始動保留球が存在しない場合に生起される待機状態において、１回のデモンストレーション演出を開始して最後まで実行し終えると該デモンストレーション演出を最初から新たに開始させることにより前記待機状態が終了するまでの間、該デモンストレーション演出をデモ演出実行手段に繰り返し実行させるデモ演出制御手段と、
前記デモンストレーション演出の実行中に前記演出用操作手段の操作を許容する有効期間を設定する有効期間設定手段と、
前記有効期間中に前記演出用操作手段が操作された場合に特別演出を特別演出実行手段に実行させる特別演出制御手段と、を備え、
前記デモンストレーション演出は、該デモンストレーション演出の開始に伴い実行されるとともに前記図柄変動ゲームで変動する図柄を用いた待機デモ演出と、該待機デモ演出の終了後に実行されるとともに客寄せ及び宣伝を行うための前記図柄変動ゲームとは異なるタイトルデモ演出から構成され、
前記デモ演出制御手段は、
前記図柄変動ゲームの終了後に前記始動保留球が存在しない場合に生起される待機状態において、前記デモンストレーション演出の開始に伴い、前記待機デモ演出を実行させるとともに該待機デモ演出を終了させて前記タイトルデモ演出に移行するまでの経過時間の計測を開始し、計測時間が第１の所定時間に達することを契機に、前記待機デモ演出を終了させて前記タイトルデモ演出を実行させるとともに該タイトルデモ演出を終了させて１回のデモンストレーション演出を終了させるまでの経過時間の計測を開始し、計測時間が第２の所定時間に達することを契機に、前記タイトルデモ演出を終了させて再び待機デモ演出を実行させることで前記デモンストレーション演出を繰り返し実行させ、
前記デモンストレーション演出の実行中に前記特別演出制御手段による前記特別演出の実行を契機に計測中の計測時間の計測を中断するとともに前記特別演出が実行されている間、計測を中断する一方で、前記特別演出の終了を契機に中断中の計測時間の計測を中断時の状態に復帰させて再開させ、
前記特別演出制御手段は、前記特別演出を実行させた場合、前記第１の所定時間よりも短い実行時間の経過を契機に実行中の特別演出を終了させ、
前記有効期間設定手段は、前記デモンストレーション演出中であって、前記待機デモ演出の実行開始から有効開始待ち時間の経過後の該待機デモ演出の実行中に前記有効期間を設定する一方、前記タイトルデモ演出の実行中に前記有効期間を設定しないことを特徴とする遊技機。
【請求項２】
前記有効期間設定手段は、１回の前記待機デモ演出の実行中に前記演出用操作手段の操作回数が予め定めた操作上限回数に達していないときに前記演出用操作手段の操作を許容する請求項１に記載の遊技機。
【請求項３】
前記特別演出制御手段は、前記特別演出を実行させた場合、前記演出用操作手段の操作に基づく終了契機により実行中の特別演出を終了させる請求項１又は請求項２に記載の遊技機。
【請求項４】
前記特別演出制御手段は、前記特別演出を実行させた場合、前記演出用操作手段の操作に基づく終了契機、又は前記特別演出を実行させてから予め定めた時間が経過する場合に実行中の特別演出を終了させる請求項３に記載の遊技機。
【発明の詳細な説明】
【技術分野】
【０００１】
本発明は、始動口装置へ入球することを始動条件として、大当りか否かの大当り抽選の結果をもとに図柄表示装置で複数種類の図柄を変動させて表示する図柄変動ゲームを行わせる遊技機に関する。
【背景技術】
【０００２】
従来、遊技機の一種であるパチンコ遊技機では、始動入賞口への遊技球の入賞を契機に液晶などの可変表示器にて図柄組み合わせゲームが行われている。また、図柄組み合わせゲームの実行中に始動入賞口に遊技球の入賞があった場合、始動保留球を記憶しておき、実行中の該図柄組み合わせゲーム終了後に始動保留球に基づき図柄組み合わせゲームを行うようになっている。この種のパチンコ遊技機においては、始動保留球が存在しない状態や、始動保留球が存在しない状態であって、遊技者によって遊技が行われていない状態を利用して、可変表示器を用いてデモンストレーション演出（以下、「デモ演出」と示す）を行うようになっている。デモ演出においては、図柄組み合わせゲームで変動する演出用図柄（飾り図柄）を停止表示させた態様で実行される図柄停止デモ演出（待機デモ演出）と、客寄せやメーカーの宣伝などの演出を行うタイトルデモ演出が一定時間毎に交互に実行されるようになっている。そして、図柄停止デモ演出は、図柄停止デモ演出の開始時、予め定めた一定時間をタイマに設定し、図柄停止デモ演出中にタイマを減算してタイマの値が０（零）になるとタイトルデモ演出に移行するようになっており、一定時間の図柄停止デモ演出を経由してタイトルデモ演出に移行するようになっている。なお、タイトルデモ演出は、予め一定時間の演出内容が定められた演出であり、タイトルデモ演出の終了後、再度図柄停止デモ演出に移行するようになっており、一定時間のタイトルデモ演出を経由して図柄停止デモ演出に移行するようになっている。
【０００３】
このようなパチンコ遊技機においては、各デモ演出を行いつつ、さらに図柄停止デモ演出中に演出ボタンが押下操作されることを契機に、各デモ演出とは異なる特別演出を行うものもある（例えば、特許文献１）。特許文献１のパチンコ遊技機では、図柄停止デモ演出中に演出ボタンが操作されたことを契機に、複数種類の特別画像データの中から１つの特別画像データが選択され、その選択された特別画像データに基づいて可変表示器に特別画像が画像表示されるようになっている。また、特許文献１に記載のパチンコ遊技機以外にも、特別演出としては、遊技者が可変表示器の背景が異なる遊技モードを選択可能にしたものや、リーチ演出及びパチンコ遊技機のスペック（大当り確率など）を紹介するようにしたものもある。
【特許文献１】特開２００６−３１１９０３号公報
【発明の開示】
【発明が解決しようとする課題】
【０００４】
ところで、特許文献１に記載のパチンコ遊技機では、特別演出の実行時に該特別演出の演出途中にタイトルデモ演出に移行することがないように、図柄停止デモ演出中にカウントしているタイマにタイトルデモ演出に移行するまでの所定の時間を再設定することで特別演出が演出途中で中断されてしまうことを防止している。このようにしてタイマに再設定される所定の時間は、特別演出に予め定められている演出時間よりも長い時間であることが必須であり、演出時間の異なる複数の演出内容を備えている場合、特別演出の演出時間に応じた時間でなければいけなかった。
【０００５】
また、特別演出の終了契機を遊技者の演出用ボタンの操作とするような特別演出の演出時間が不定となる場合には、所定の時間の再設定が困難となる。その一方で、特別演出の終了契機を遊技者の演出用ボタンの操作とし、遊技者の演出用ボタンの操作が予め定めた時間の間なかった場合に特別演出を強制的に終了させる仕様のもとでは、タイマに再設定する所定の時間を該予め定めた時間よりも長い時間に設定するような方法が考えられる。このような方法において、演出用ボタンを操作するか否かの遊技者の選択に要する時間を考慮すると、特別演出を強制的に終了させるまでの予め定めた時間を長く設定するとともに該予め定めた時間に応じて所定の時間も長く設定する必要があり、特別演出の終了後ではなかなかタイトルデモ演出に移行しない状態となる。その結果、このような方法においては、特別演出や待機デモ演出の実行時間を単に間延びさせるのみであって、タイトルデモ演出に移行するまでの期間を間延びさせることとなってしまう。タイトルデモ演出は、該デモ演出を遊技店にいる遊技者に対して見せて呼びかける（アピールする）ことで、客寄せ及びメーカーの宣伝を行うためのものであるので、タイトルデモ演出に移行する期間が間延びすることは遊技店やメーカー側にとって好ましい状態ではなかった。このため、デモ演出中に特別演出を実行させる場合であっても、遊技店やメーカー側のデモ演出に対する意図を十分に反映させることが必要であった。
【０００６】
この発明は、このような従来の技術に存在する問題点に着目してなされたものであり、その目的は、デモンストレーション演出中に演出用操作手段の遊技者の操作を契機に特別演出を実行可能な遊技機において、デモンストレーション演出の目的を反映させつつ特別演出を実行することが可能な遊技機を提供することにある。
【課題を解決するための手段】
【０００７】
上記目的を達成するために、請求項１に記載の発明は、遊技盤に発射された遊技球が始動口装置へ入球することを始動条件として、大当りか否かの大当り抽選を行い、該大当り抽選の結果をもとに図柄表示装置で複数種類の図柄を変動させて表示する図柄変動ゲームを行わせ、前記大当り抽選の結果が肯定の場合に遊技者に大当り遊技が付与される遊技機において、遊技者が操作可能な演出用操作手段と、前記図柄変動ゲーム中に前記始動口装置に入球した遊技球を予め定めた規定個数まで始動保留球として記憶する始動記憶手段と、前記図柄変動ゲームの終了後に前記始動保留球が存在しない場合に生起される待機状態において、１回のデモンストレーション演出を開始して最後まで実行し終えると該デモンストレーション演出を最初から新たに開始させることにより前記待機状態が終了するまでの間、該デモンストレーション演出をデモ演出実行手段に繰り返し実行させるデモ演出制御手段と、前記デモンストレーション演出の実行中に前記演出用操作手段の操作を許容する有効期間を設定する有効期間設定手段と、前記有効期間中に前記演出用操作手段が操作された場合に特別演出を特別演出実行手段に実行させる特別演出制御手段と、を備え、前記デモンストレーション演出は、該デモンストレーション演出の開始に伴い実行されるとともに前記図柄変動ゲームで変動する図柄を用いた待機デモ演出と、該待機デモ演出の終了後に実行されるとともに客寄せ及び宣伝を行うための前記図柄変動ゲームとは異なるタイトルデモ演出から構成され、前記デモ演出制御手段は、前記図柄変動ゲームの終了後に前記始動保留球が存在しない場合に生起される待機状態において、前記デモンストレーション演出の開始に伴い、前記待機デモ演出を実行させるとともに該待機デモ演出を終了させて前記タイトルデモ演出に移行するまでの経過時間の計測を開始し、計測時間が第１の所定時間に達することを契機に、前記待機デモ演出を終了させて前記タイトルデモ演出を実行させるとともに該タイトルデモ演出を終了させて１回のデモンストレーション演出を終了させるまでの経過時間の計測を開始し、計測時間が第２の所定時間に達することを契機に、前記タイトルデモ演出を終了させて再び待機デモ演出を実行させることで前記デモンストレーション演出を繰り返し実行させ、前記デモンストレーション演出の実行中に前記特別演出制御手段による前記特別演出の実行を契機に計測中の計測時間の計測を中断するとともに前記特別演出が実行されている間、計測を中断する一方で、前記特別演出の終了を契機に中断中の計測時間の計測を中断時の状態に復帰させて再開させ、前記特別演出制御手段は、前記特別演出を実行させた場合、前記第１の所定時間よりも短い実行時間の経過を契機に実行中の特別演出を終了させ、前記有効期間設定手段は、前記デモンストレーション演出中であって、前記待機デモ演出の実行開始から有効開始待ち時間の経過後の該待機デモ演出の実行中に前記有効期間を設定する一方、前記タイトルデモ演出の実行中に前記有効期間を設定しないことを要旨とする。
【０００８】
請求項２に記載の発明は、請求項１に記載の遊技機において、前記有効期間設定手段は、１回の前記待機デモ演出の実行中に前記演出用操作手段の操作回数が予め定めた操作上限回数に達していないときに前記演出用操作手段の操作を許容することを要旨とする。
【０００９】
請求項３に記載の発明は、請求項１又は請求項２に記載の遊技機において、前記特別演出制御手段は、前記特別演出を実行させた場合、前記演出用操作手段の操作に基づく終了契機により実行中の特別演出を終了させることを要旨とする。
【００１０】
請求項４に記載の発明は、請求項３に記載の遊技機において、前記特別演出制御手段は、前記特別演出を実行させた場合、前記演出用操作手段の操作に基づく終了契機、又は前記特別演出を実行させてから予め定めた時間が経過する場合に実行中の特別演出を終了させることを要旨とする。
【発明の効果】
【００１２】
本発明によれば、デモンストレーション演出中に演出用操作手段の遊技者の操作を契機に特別演出を実行可能な遊技機において、デモンストレーション演出の目的を反映させつつ特別演出を実行することが可能となる。
【発明を実施するための最良の形態】
【００１３】
以下、本発明を遊技機の一種であるパチンコ遊技機に具体化した一実施形態を図１〜図６にしたがって説明する。
図１には、パチンコ遊技機１０と該パチンコ遊技機１０が遊技場の遊技機設置設備（遊技島）に設置された際に並設される遊技媒体貸出用ユニットとしてのカードユニット装置１１が略示されている。カードユニット装置１１には、遊技者に貸し出される貸出用遊技媒体としての遊技球（貸し球）と交換可能な交換媒体としてのプリペイドカードを投入するための投入口１１ａが設けられている。カードユニット装置１１は、投入されたプリペイドカードの価値を読み書き可能な構成となっている。具体的に言えば、カードユニット装置１１は、投入時にプリペイドカードの残金（価値）を読込むとともに、貸し球の払出しに伴ってプリペイドカードの残金（価値）を書き替える。
【００１４】
パチンコ遊技機１０の機体の外郭をなす外枠１２の開口前面側には、各種の遊技用構成部材をセットする縦長方形の中枠１３が開放及び着脱自在に組み付けられているとともに、中枠１３の前面側には前枠１４が開閉及び着脱自在に組み付けられている。前枠１４は、図１に示すようにパチンコ遊技機１０を機正面側から見た場合において、中枠１３に重なるように組み付けられている。このため、中枠１３は、前枠１４の後側に配置されており、機正面側からは視認し得ないようになっている。前枠１４は、中央部に窓口１５を有するとともに、該窓口１５の下方にパチンコ遊技機１０の遊技媒体となる遊技球を貯留可能な第１貯留皿としての上皿（貯留皿）１６を一体成形した構成とされている。前枠１４の裏面側には、機内部に配置された遊技盤ＹＢを保護し、かつ窓口１５を覆う大きさのガラスを支持する図示しないガラス支持枠が着脱及び傾動開放可能に組み付けられている。遊技盤ＹＢは、中枠１３に装着される。また、前枠１４には、窓口１５のほぼ全周を囲むように、図示しない発光体（ランプ、ＬＥＤなど）の発光（点灯や点滅）により発光演出を行う電飾表示部を構成する上側枠用ランプ部１７と、左側枠用ランプ部１８と、右側枠用ランプ部１９とが配置されている。各枠用ランプ部１７，１８，１９は、前枠１４の前面に装着される複数の発光体を、該各発光体の発する光を透過可能に成形したランプレンズ１７ａ，１８ａ，１９ａで覆って構成されている。
【００１５】
前枠１４には、窓口１５の左右上部に、各種音声を出力して音声演出を行う左スピーカ２０と、右スピーカ２１とが配置されている。左スピーカ２０と右スピーカ２１は、前枠１４の裏面に装着されており、該前枠１４の前面であって左スピーカ２０及び右スピーカ２１の装着部位に対応する部位には図示しない放音孔が複数形成されている。
【００１６】
中枠１３の前面側であって前枠１４の下部には、上皿１６から溢れ出た遊技球を貯留する第２貯留皿としての下皿（貯留皿）２３が装着されている。また、中枠１３の前面側であって下皿２３の右方には、遊技球を遊技盤ＹＢに発射させる際に遊技者によって回動操作される遊技球発射用の発射ハンドル２４が装着されている。また、前枠１４には、下皿２３の左方に、各種音声を出力して音声演出を行う下スピーカ２５が配置されている。下スピーカ２５は、中枠１３に装着されている。
【００１７】
上皿１６には、その左方側に機内部から払出される遊技球の払出口１６ａが設けられているとともに、遊技者の保有する遊技球を貯留する凹状の貯留通路１６ｂが連設されており、さらに右方側に貯留通路１６ｂ内の遊技球を機内部に取り込む図示しない上皿取込口が設けられている。上皿１６に貯留された遊技球は、貯留通路１６ｂにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル２４の回動量に応じて発射の強弱が設定される。また、下皿２３には、上皿１６から溢れ出て流下した遊技球の出口２３ａが設けられているとともに、遊技球を貯留する凹状の貯留部２３ｂが遊技球の出口２３ａに連設されている。
【００１８】
遊技盤ＹＢの遊技領域Ｈ１のほぼ中央（センター）には、各種の表示器や各種の飾りを施した表示枠体（センター役物）２７が装着されている。表示枠体２７の略中央には、正面視横長矩形に開口するセット口２７ａが形成されており、当該セット口２７ａに整合して表示枠体２７には液晶ディスプレイ型の画像表示部ＧＨを有する図柄表示装置としての演出表示装置２８が装着されている。演出表示装置２８には、複数列（本実施形態では３列）の図柄列を変動させて行う図柄変動ゲームを含み、該ゲームに関連して実行される各種の表示演出（遊技演出）が画像表示されるようになっている。本実施形態において演出表示装置２８の図柄変動ゲームでは、複数列（本実施形態では３列）の図柄からなる図柄組み合わせを導出する。なお、演出表示装置２８の図柄変動ゲームは、表示演出を多様化するための飾り図柄（演出図柄）を用いて行われる。また、表示枠体２７には、発光により発光演出を行う盤用ランプ部２７ｂが装着されている。
【００１９】
また、表示枠体２７の左下方には、図柄表示装置としての特別図柄表示装置３０が設けられている。特別図柄表示装置３０は、例えば７セグメントＬＥＤ型の発光装置から構成されている。特別図柄は、大当りか否かの内部抽選（大当り抽選）の結果を示す報知用の図柄である。そして、本実施形態では、特別図柄として、１００種類の大当り図柄と、１種類のはずれ図柄が用意されている。
【００２０】
演出表示装置２８と特別図柄表示装置３０では、図柄変動ゲームの開始により同時に図柄（特別図柄と飾り図柄）の変動が開始される。具体的には、図柄変動ゲームの開始に伴って、特別図柄表示装置３０では特別図柄の変動が開始する一方で、演出表示装置２８では各列の飾り図柄の変動が開始する。そして、演出表示装置２８と特別図柄表示装置３０には、大当り抽選の抽選結果に基づき、図柄変動ゲームの終了によって同時に大当り図柄又ははずれ図柄が確定的に停止表示される。このとき、特別図柄表示装置３０と演出表示装置２８では、大当り抽選の抽選結果が大当りである場合には何れの表示装置にも大当り図柄が確定的に停止表示（確定停止表示）され、大当り抽選の抽選結果がはずれである場合には何れの表示装置にもはずれ図柄が確定停止表示される。大当り図柄は、大当り抽選の抽選結果が大当りである場合に図柄変動ゲームで確定停止表示されるものであり、はずれ図柄は、大当り抽選の抽選結果がはずれである場合に図柄変動ゲームで確定停止表示されるものである。
【００２１】
本実施形態において演出表示装置２８の図柄変動ゲームで導出される大当り図柄とはずれ図柄は、各列に導出された飾り図柄の組み合わせによって構成されるとともに、例えば、大当り図柄は全列が同一の飾り図柄からなる組み合わせで構成される一方で、はずれ図柄は全列が同一の飾り図柄にならない組み合わせで構成される。本実施形態において演出表示装置２８には、各列毎に、「１」〜「８」までの数字が飾り図柄として表示されるようになっている。なお、本実施形態では、演出表示装置２８の図柄変動ゲームで導出される大当り図柄は、全列が同一の飾り図柄からなる組み合わせで構成されない図柄組み合わせの場合もある。このように、特別図柄表示装置３０の図柄変動ゲームで大当り図柄が導出される場合に、演出表示装置２８の図柄変動ゲームで導出される全列が同一の飾り図柄からなる組み合わせで構成されない図柄組み合わせも大当り図柄となる。本実施形態では、特別図柄表示装置３０で大当り図柄が導出される場合に、全列が同一の飾り図柄からなる組み合わせで構成される図柄組み合わせが遊技者に大当りを視認させることができる大当り図柄である。一方、特別図柄表示装置３０で大当り図柄が導出される場合に、全列が同一の飾り図柄からなる組み合わせで構成されない図柄組み合わせが遊技者に大当りを視認させることができない大当り図柄となる。
【００２２】
また、本実施形態のパチンコ遊技機１０では、演出表示装置２８の表示領域（画像表示面）を特別図柄表示装置３０の表示領域よりも大きく形成し、演出表示装置２８を遊技者の正面に目立つように配置している。このため、遊技者は、特別図柄表示装置３０よりも自身の目の前で多彩な画像によって表示演出が行われる演出表示装置２８の表示内容に注目し、該演出表示装置２８の図柄変動ゲームで導出されて確定停止表示される図柄組み合わせから大当り又ははずれを認識し得るように構成されている。
【００２３】
また、表示枠体２７の下方の遊技領域Ｈ１には、遊技球の入球口３３ａを有する始動口装置としての上始動入賞口３３と遊技球の入球口３４ａを有する始動口装置としての下始動入賞口３４（始動口装置）が上下方向に並ぶように配置されている。上始動入賞口３３は、常時遊技球の入球を許容し得るように入球口３３ａを常時開放させた構成とされている。一方で、下始動入賞口３４は普通電動役物とされ、図示しないアクチュエータ（ソレノイド、モータなど）の作動により開閉動作を行う開閉羽根３５を備えており、開閉羽根３５が開動作することにより遊技球の入球を許容し得るように入球口３４ａを開放させる構成とされている。換言すれば、下始動入賞口３４は、開閉羽根３５が開動作して入球口３４ａが開放されない限り、遊技球の入球を不能とする構成とされている。
【００２４】
上始動入賞口３３の奥方には、入球した遊技球を検知する上始動口スイッチＳＷ１（図２に示す）が配設されているとともに、下始動入賞口３４の奥方には、入球した遊技球を検知する下始動口スイッチＳＷ２（図２に示す）が配設されている。上始動入賞口３３と下始動入賞口３４は、入球した遊技球を検知することにより、図柄変動ゲームの始動条件と予め定めた個数の賞球としての遊技球の払出条件を付与し得る。下始動入賞口３４は開閉羽根３５が開動作すると、入口が拡大されて遊技球が入球し易い状態とされる一方で、開閉羽根３５が閉動作すると、入口が拡大されずに遊技球の入球が不能となる状態とされる。
【００２５】
また、下始動入賞口３４の下方の遊技領域Ｈ１には、図示しないアクチュエータ（ソレノイド、モータなど）の作動により開閉動作を行う大入賞口扉３６を備えた大入賞口３７が配設されている。大入賞口３７の奥方には、入球した遊技球を検知するセンサ（図示しない）が配設されている。大入賞口３７は、入球した遊技球を検知することにより、予め定めた個数の賞球としての遊技球の払出条件を付与し得る。
【００２６】
そして、大当り遊技が付与されると、大入賞口扉３６が開動作して大入賞口３７が開放され、その開放により遊技球の入球が許容される。このため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、図柄変動ゲームにて大当り図柄が確定停止表示されることを契機に付与される。
【００２７】
大当り遊技は、内部抽選で大当りを決定し、図柄変動ゲームで大当り図柄が確定停止表示されて該ゲームの終了後、開始される。大当り遊技が開始すると、最初に大当り遊技の開始を示すオープニング演出が行われる。オープニング演出終了後には、大入賞口扉３６の開動作により大入賞口３７が開放されるラウンド遊技が予め定めた規定ラウンド数（ラウンド遊技の上限回数）を上限として複数回行われる。１回のラウンド遊技は、ラウンド遊技が開始してから予め定めたラウンド遊技時間が経過する、又は予め定めた入球上限個数の遊技球が入球するの何れか一方の条件を満たすことにより終了する。そして、大当り遊技は、規定ラウンド数のラウンド遊技の終了後に大当り遊技の終了を示すエンディング演出が行われて終了する。
【００２８】
また、遊技盤ＹＢの遊技領域Ｈ１の最下方（大入賞口４１よりも下方）には、遊技領域Ｈ１に発射された後、何れの入賞口にも入球しなかった遊技球をアウト球として機外に排出するためのアウト球口３８が形成されている。アウト球口３８を通過した遊技球は、パチンコ遊技機１０の設置設備（遊技島）に配設されたアウト球タンク（図示しない）に排出される。
【００２９】
また、本実施形態のパチンコ遊技機１０には、その機前面側に遊技者及び遊技場の従業員が操作可能な演出用操作手段としての演出用ボタン３９が配置されている。本実施形態において演出用ボタン３９は、押しボタン式とされており、上皿１６に配置されている。本実施形態において演出用ボタン３９は、図柄変動ゲームや図柄変動ゲームが行われていない待機状態中に前記演出用ボタン３９の操作が有効となるボタン操作有効期間（有効期間）が設定されることにより、当該期間の間の操作が有効とされる。
【００３０】
また、本実施形態のパチンコ遊技機１０は、上始動入賞口３３又は下始動入賞口３４へ遊技球が入球した場合、その入球した遊技球の個数を記憶し、特別図柄用の保留記憶数として機内部（主制御基板４０の主制御用ＲＡＭ４０ｃ）で記憶するようになっている。特別図柄用の保留記憶数は、保留中（図柄変動ゲーム待機中）の図柄変動ゲームの回数を示している。特別図柄用の保留記憶数は、上始動入賞口３３又は下始動入賞口３４に遊技球が入賞することで１加算され、図柄変動ゲームの開始により１減算されるようになっている。したがって、図柄変動ゲーム中に上始動入賞口３３又は下始動入賞口３４へ遊技球が入賞すると、特別図柄用の保留記憶数は更に加算され、所定の上限数（本実施形態では４個）まで累積されるようになっている。そして、機内部で記憶した特別図柄用の保留記憶数は、図１において表示枠体２７の右下方（演出表示装置２８の右下方）に配置した特図保留記憶数表示部ＴＲにより、遊技者に報知される。
【００３１】
特図保留記憶数表示部ＴＲは、４つの保留ランプＴＲａ〜ＴＲｄからなる発光手段によって構成されている。そして、特図保留記憶数表示部ＴＲは、保留ランプＴＲａ〜ＴＲｄの点灯個数により保留中の図柄変動ゲームの回数を遊技者に報知する構成となっている。例えば、１つの保留ランプＴＲａのみが点灯している場合には１回の図柄変動ゲームが保留中であることを示し、全ての保留ランプＴＲａ〜ＴＲｄが点灯している場合には４回の図柄変動ゲームが保留中であることを示している。
【００３２】
そして、図柄変動ゲームの終了時に、大当り遊技が開始されることがないとともに特別図柄用の保留記憶数が存在しない（０（零）である）場合、図柄変動ゲームが行われていない状態（変動停止中）となる。すなわち、図柄変動ゲームが途切れている次回の図柄変動ゲームの開始を待機する待機状態となる。待機状態は、一旦生起させると該待機状態中に図柄変動ゲームの始動条件が成立することを終了条件として該終了条件が成立するまで継続される。
【００３３】
また、本実施形態のパチンコ遊技機１０では、待機状態中に該待機状態であることを示すデモンストレーション演出（以下、「デモ演出」と示す）が実行されるようになっている。デモ演出は、パチンコ遊技機１０が待機状態であることを、演出表示装置２８、各種ランプ部１７〜１９，２７ｂ及びスピーカ２０，２１，２５の装置（デモ演出実行手段）を利用して報知し、客寄せ効果を得るための演出である。本実施形態のデモ演出は、待機デモ演出（デモ前半演出）と該待機デモ演出の終了に伴い開始されるタイトルデモ演出（デモ後半演出）とから構成されており、１回の待機デモ演出と１回のタイトルデモ演出とから１回のデモ演出を構成している。なお、待機デモ演出及びタイトルデモ演出には、各演出を実行する演出時間（本実施形態では、待機デモ演出に６０秒、タイトルデモ演出に２９秒）が予め定められているため、これらの演出時間により１回のデモ演出を実行する演出時間（本実施形態では、８９秒）が特定されるようになっている。したがって、待機状態が生起されると、デモ演出の前半で待機デモ演出が開始されて、該待機デモ演出の終了に伴いデモ演出の後半でタイトルデモ演出が開始されるとともに、該タイトルデモ演出の終了までを１回とするデモ演出が行われる。そして、待機状態が生起されると、該待機状態中に図柄変動ゲームの始動条件が成立するまで、待機デモ演出→タイトルデモ演出→待機デモ演出→タイトルデモ演出の順に、デモ演出が繰り返し実行される。
【００３４】
待機デモ演出は、演出表示装置２８に停止表示されている複数種類の図柄を、図柄停止表示態様で画像表示させる演出内容である。すなわち、本実施形態において待機デモ演出は、図柄変動ゲームで変動する複数種類の図柄を用いた図柄変動ゲームの延長となる演出であり、遊技球を発射して遊技を行っているにも拘わらず始動条件が成立しない場合などに始動条件が成立することで図柄変動ゲームが行われる状態であることを遊技者に報知する演出となる。また、タイトルデモ演出は、図柄変動ゲームで変動する図柄とは異なる画像であって、遊技機メーカやパチンコ遊技機１０の宣伝（アピール）画像を画像表示させる演出内容である。すなわち、本実施形態においてタイトルデモ演出は、該デモ演出を遊技店にいる遊技者に対して見せて呼びかける（アピールする）ことで、客寄せ及びメーカーの宣伝を行うための図柄変動ゲームとは異なった演出である。さらに、本実施形態のタイトル演出は、遊技球が発射されないで遊技が行われていない場合に遊技者に対してパチンコ遊技機１０に興味を持たせるとともに遊技を行わせるための演出であって、待機デモ演出とは演出効果の異なる演出である。また、演出表示装置２８で行われる待機デモ演出及びタイトルデモ演出の表示演出に合わせて各種ランプ部１７〜１９，２７ｂ及びスピーカ２０，２１，２５で行われる発光演出及び音声出力演出による待機デモ演出及びタイトルデモ演出が実行される。
【００３５】
そして、本実施形態のパチンコ遊技機１０では、待機状態中であってデモ演出中に設定されるボタン操作有効期間内に演出用ボタン３９が操作されたことを契機に、演出表示装置２８（特別演出実行手段）を利用して特別画像を画像表示させる特別演出を実行させるようになっている。また、本実施形態では、特別演出が実行されたことを、各種ランプ部１７〜１９，２７ｂ及びスピーカ２０，２１，２５の装置（特別演出実行手段）も利用して報知するようになっている。なお、特別演出は、該特別演出の非実行中であって、デモ演出中に設定されるボタン操作有効期間内に演出用ボタン３９が操作されたことを契機に、実行されるようになっている。
【００３６】
次に、パチンコ遊技機１０の電気的構成について図２にしたがって説明する。
パチンコ遊技機１０の機裏側には、パチンコ遊技機１０全体を制御する主制御基板４０が装着されている。主制御基板４０は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、サブ統括制御基板４１と、演出表示制御基板４２と、音声・ランプ制御基板４３が装着されている。サブ統括制御基板４１は、主制御基板４０が出力した制御信号（制御コマンド）に基づき、演出表示制御基板４２、及び音声・ランプ制御基板４３を統括的に制御する。演出表示制御基板４２は、主制御基板４０とサブ統括制御基板４１が出力した制御信号（制御コマンド）に基づき、演出表示装置２８の表示態様（図柄、背景、文字などの表示画像など）を制御する。また、音声・ランプ制御基板４３は、主制御基板４０とサブ統括制御基板４１が出力した制御信号（制御コマンド）に基づき、各種ランプ部１７〜１９，２７ｂの発光態様（点灯（点滅）／消灯のタイミングなど）及びスピーカ２０，２１，２５の音声出力態様（音声出力のタイミングなど）を制御する。なお、本実施形態では、主制御基板４０によりメイン制御手段が構成されるとともに、サブ統括制御基板４１、演出表示制御基板４２及び音声・ランプ制御基板４３によるサブ制御手段が構成される。
【００３７】
以下、主制御基板４０、サブ統括制御基板４１、演出表示制御基板４２及び音声・ランプ制御基板４３について、その具体的な構成を説明する。
主制御基板４０には、制御動作を所定の手順で実行することができる主制御用ＣＰＵ４０ａと、主制御用ＣＰＵ４０ａの制御プログラムを格納する主制御用ＲＯＭ４０ｂと、必要なデータの書き込み及び読み出しができる主制御用ＲＡＭ４０ｃが設けられている。主制御用ＣＰＵ４０ａには、主制御用ＲＯＭ４０ｂと主制御用ＲＡＭ４０ｃが接続されている。また、主制御用ＣＰＵ４０ａには、上始動入賞口３３に入球した遊技球を検知する上始動口スイッチＳＷ１と、下始動入賞口３４に入球した遊技球を検知する下始動口スイッチＳＷ２が接続されている。また、主制御用ＣＰＵ４０ａには、特別図柄表示装置３０が接続されている。また、主制御用ＣＰＵ４０ａには、特図保留記憶数表示部ＴＲ（保留ランプＴＲａ，ＴＲｂ，ＴＲｃ，ＴＲｄ）が接続されている。また、主制御用ＣＰＵ４０ａは、大当り判定用乱数、大当り図柄用乱数や変動パターン振分用乱数などの各種乱数の値を所定の周期毎に更新し、更新後の値を主制御用ＲＡＭ４０ｃの設定領域に記憶（設定）することで更新前の値を書き換えており、乱数更新処理（乱数生成処理）を実行する。大当り判定用乱数は、大当りとするか否かの大当り抽選（大当り判定）で用いる乱数である。大当り図柄用乱数は、大当りとする場合に特別図柄表示装置３０に確定停止表示させる特別図柄としての大当り図柄を決定する際に用いる乱数である。変動パターン振分用乱数は、図柄変動ゲームの変動時間と演出内容（大当り演出、はずれ演出など）を決定する際に用いる乱数である。また、本実施形態の主制御用ＣＰＵ４０ａはタイマ機能を搭載しており、所定のタイミング（例えば、図柄変動ゲームを開始するタイミング）で時間を計測する。
【００３８】
主制御用ＲＯＭ４０ｂには、前記制御プログラムに加え、複数種類の変動パターンと各種判定値（大当り判定値など）が記憶されている。変動パターンは、演出表示装置２８及び特別図柄表示装置３０において図柄の変動開始による図柄変動ゲームが開始してから、演出表示装置２８及び特別図柄表示装置３０において図柄が確定停止表示されて図柄変動ゲームが終了するまでの変動時間と演出内容を特定するためのパターンである。この変動パターンに基づき特別図柄表示装置３０では、特別図柄の変動が開始してから、変動パターンに定める変動時間の経過時に変動が停止し、大当り図柄又ははずれ図柄が確定停止表示される図柄変動ゲームが実行される。一方、変動パターンに基づき演出表示装置２８では、飾り図柄の変動が開始してから、変動パターンで特定される演出内容で各種遊技演出が行われるとともに変動パターンに定める変動時間の経過時に変動が停止し、大当り図柄又ははずれ図柄を確定停止表示させる図柄変動ゲームが実行される。そして、変動パターンは、大当り演出用、はずれ演出用からなる演出内容毎に分類されている。
【００３９】
大当り演出では、演出表示装置２８において図柄変動ゲームが最終的に大当り図柄（飾り図柄）を確定停止表示させるように展開されるとともに、特別図柄表示装置３０において図柄変動ゲームが大当り図柄（特別図柄）を確定停止表示させるように展開される。はずれ演出は、演出表示装置２８において最終的にはずれ図柄（飾り図柄）を確定停止表示させるように展開されるとともに、特別図柄表示装置３０において図柄変動ゲームがはずれ図柄（特別図柄）を確定停止表示させるように展開される。
【００４０】
大当り判定値は、大当り判定で用いる判定値であり、大当り判定用乱数の取り得る数値の中から定められている。例えば、大当り判定用乱数の取り得る数値を「０（零）」〜「５９９」までの全６００通りの整数に設定し、その値の中から大当り判定として３つの値を設定した場合、大当り判定が肯定判定される割合、すなわち大当りの当選確率は６００分の３（２００分の１）となる。
【００４１】
次に、サブ統括制御基板４１について説明する。
サブ統括制御基板４１には、制御動作を所定の手順で実行することができる統括制御用ＣＰＵ４１ａと、統括制御用ＣＰＵ４１ａの制御プログラムを格納する統括制御用ＲＯＭ４１ｂと、必要なデータの書き込み及び読み出しができる統括制御用ＲＡＭ４１ｃが設けられている。統括制御用ＣＰＵ４１ａには、統括制御用ＲＯＭ４１ｂと統括制御用ＲＡＭ４１ｃが接続されているとともに、演出用ボタン３９が接続されている。また、本実施形態の統括制御用ＣＰＵ４１ａはタイマ機能（タイマ）を搭載しており、所定のタイミング（例えば、図柄変動ゲームを開始するタイミングやデモ演出を開始するタイミング）で時間を計測する。また、統括制御用ＲＯＭ４１ｂには、内部状態別処理（図３に示す）、ボタン演出処理（図４に示す）やボタン状態管理処理（図５に示す）を含む前記制御プログラムなどが記憶されている。
【００４２】
次に、演出表示制御基板４２について説明する。
演出表示制御基板４２には、制御動作を所定の手順で実行することができる表示制御用ＣＰＵ４２ａと、表示制御用ＣＰＵ４２ａの制御プログラムを格納する表示制御用ＲＯＭ４２ｂと、必要なデータの書き込み及び読み出しができる表示制御用ＲＡＭ４２ｃが設けられている。表示制御用ＣＰＵ４２ａには、表示制御用ＲＯＭ４２ｂと、表示制御用ＲＡＭ４２ｃが接続されているとともに、演出表示装置２８が接続されている。また、本実施形態の表示制御用ＣＰＵ４２ａはタイマ機能を搭載しており、所定のタイミング（例えば、図柄変動ゲームを開始するタイミング）で時間を計測する。表示制御用ＲＯＭ４２ｂには、各種の画像データ（図柄、背景、文字、キャラクタなどの画像データ）が記憶されている。そして、画像データには、デモ演出における待機デモ演出の演出用データと、タイトルデモ演出用の画像データが記憶されている。また、画像データには、特別演出で出現させる特別画像用の画像データが記憶されている。特別画像用の画像データは、キャラクタの画像とされており、パチンコ遊技機１０でモチーフ（題材）とされるキャラクタを示す画像とされている。例えば、パチンコ遊技機１０で戦国時代の特定の武将を題材とする場合には、題材とされた特定の武将を示すキャラクタの画像（特別画像用の画像データ）とされている。
【００４３】
次に、音声・ランプ制御基板４３について説明する。
音声・ランプ制御基板４３には、制御動作を所定の手順で実行することができる音声・ランプ制御用ＣＰＵ４３ａと、音声・ランプ制御用ＣＰＵ４３ａの制御プログラムを格納する音声・ランプ制御用ＲＯＭ４３ｂと、必要なデータの書き込み及び読み出しができる音声・ランプ制御用ＲＡＭ４３ｃが設けられている。音声・ランプ制御用ＣＰＵ４３ａには、音声・ランプ制御用ＲＯＭ４３ｂと、音声・ランプ制御用ＲＡＭ４３ｃが接続されているとともに、スピーカ２０，２１，２５及び各種ランプ部１７〜１９，２７ｂが接続されている。また、本実施形態の音声・ランプ制御用ＣＰＵ４３ａはタイマ機能を搭載しており、所定のタイミング（例えば、図柄変動ゲームを開始するタイミング）で時間を計測する。また、音声・ランプ制御用ＲＯＭ４３ｂには、各種の音声出力パターン（図柄変動ゲーム中などの音声出力パターン）が記憶されている。また、音出力パターンには、デモ演出における待機デモ演出用の音声出力パターンと、タイトルデモ演出用の音声出力パターンが記憶されている。また、音出力パターンには、特別演出で出力させる特別演出用の音声出力パターンが記憶されている。また、音声・ランプ制御用ＲＯＭ４３ｂには、各種の発光パターン（図柄変動ゲーム中などの発光パターン）が記憶されている。そして、発光パターンには、デモ演出における待機デモ演出用の発光パターンと、タイトルデモ演出用の発光パターンが記憶されている。また、発光パターンには、特別演出で特別演出用の音声出力パターンに合わせて発光演出を実行するための特別演出用の発光パターンが記憶されている。
【００４４】
以下、主制御基板４０、サブ統括制御基板４１、演出表示制御基板４２及び音声・ランプ制御基板４３が実行する制御内容を説明する。
最初に、主制御基板４０について説明する。本実施形態では、制御プログラムに基づき以下の各種処理を実行する主制御基板４０の主制御用ＣＰＵ４０ａと主制御用ＲＡＭ４０ｃが始動記憶手段として機能する。
【００４５】
主制御基板４０の主制御用ＣＰＵ４０ａは、上始動入賞口３３又は下始動入賞口３４へ遊技球が入球し、該遊技球を検知した始動口スイッチＳＷ１，ＳＷ２が出力する検知信号を入力すると、主制御用ＲＡＭ４０ｃに記憶されている特別図柄用の保留記憶数が上限数（本実施形態では４）未満であるか否かの保留判定を行う。保留判定の判定結果が肯定（特別図柄用の保留記憶数＜４）の場合、主制御用ＣＰＵ４０ａは、特別図柄用の保留記憶数を１加算（＋１）し、特別図柄用の保留記憶数を書き換える。主制御用ＣＰＵ４０ａは、特別図柄用の保留記憶数を書き換えた後、該書き換えた後の保留記憶数を表示するために特図保留記憶数表示部ＴＲの表示内容を制御する。
【００４６】
また、主制御用ＣＰＵ４０ａは、特別図柄用の保留記憶数を書き換えた場合、書き換え後の保留記憶数を指示する保留指定コマンドをサブ統括制御基板４１に出力する。本実施形態では、保留指定コマンドとして、保留０指定コマンドと、保留１指定コマンドと、保留２指定コマンドと、保留３指定コマンドと、保留４指定コマンドが用意されている。保留０指定コマンドは、保留記憶数を「１」→「０」に１減算して書き換え時に出力するコマンドである。保留１指定コマンドは、保留記憶数を「０」→「１」に１加算、又は「２」→「１」に１減算して書き換えた時に出力するコマンドである。保留２指定コマンドは、保留記憶数を「１」→「２」に１加算、又は「３」→「２」に１減算して書き換えた時に出力するコマンドである。保留３指定コマンドは、保留記憶数を「２」→「３」に１加算、又は「４」→「３」に１減算して書き換えた時に出力するコマンドである。保留４指定コマンドは、保留記憶数を「３」→「４」に１加算して書き換え時に出力するコマンドである。
【００４７】
また、主制御用ＣＰＵ４０ａは、保留判定を肯定判定している場合、大当り判定用乱数の値と大当り図柄用乱数の値を主制御用ＲＡＭ４０ｃから取得し、その取得した大当り判定用乱数の値と大当り図柄用乱数の値を特別図柄用の保留記憶数に対応付けて主制御用ＲＡＭ４０ｃの所定の記憶領域に格納する。なお、主制御用ＣＰＵ４０ａは、保留判定の判定結果が否定（保留記憶数＝４）の場合、上限数を超える特別図柄用の保留記憶数の書き換えを行わないとともに、大当り判定用乱数の値と大当り図柄用乱数の値を取得しない。
【００４８】
そして、主制御用ＣＰＵ４０ａは、図柄変動ゲームの開始直前に、主制御用ＲＡＭ４０ｃの所定の記憶領域に格納した大当り判定用乱数の値を読み出し、その読み出した大当り判定用乱数の値と主制御用ＲＯＭ４０ｂに記憶されている大当り判定値とを比較し、大当りか否かの大当り判定を行う。大当り判定の判定結果が肯定（大当り判定用乱数の値と大当り判定値とが一致）の場合、主制御用ＣＰＵ４０ａは、大当りを決定する。大当りを決定した主制御用ＣＰＵ４０ａは、大当り図柄用乱数の値をもとに、特別図柄表示装置３０で行われる図柄変動ゲームで確定停止表示させる大当り図柄（特別図柄）を決定する。そして、大当り図柄を決定した主制御用ＣＰＵ４０ａは、決定した大当り図柄を主制御用ＲＡＭ４０ｃに記憶する。また、大当りを決定した主制御用ＣＰＵ４０ａは、変動パターン振分用乱数の値を主制御用ＲＡＭ４０ｃから取得し、該値に対応する変動パターンを大当り演出用の変動パターンの中から選択して決定する。
【００４９】
一方、主制御用ＣＰＵ４０ａは、大当り判定の判定結果が否定（大当り判定用乱数の値と大当り判定値とが不一致）の場合、はずれを決定する。そして、はずれを決定した主制御用ＣＰＵ４０ａは、特別図柄表示装置３０に確定停止表示させる特別図柄としてはずれ図柄を決定するとともに、変動パターン振分用乱数の値を主制御用ＲＡＭ４０ｃから取得し、該値に対応する変動パターンをはずれ演出用の変動パターンの中から選択して決定する。
【００５０】
特別図柄及び変動パターンを決定した主制御用ＣＰＵ４０ａは、所定の制御コマンドを所定のタイミングでサブ統括制御基板４１（統括制御用ＣＰＵ４１ａ）に出力する。具体的に言えば、主制御用ＣＰＵ４０ａは、変動パターンを指示するとともに図柄変動ゲームの開始を指示する変動パターン指定コマンドを最初に出力する。次に、主制御用ＣＰＵ４０ａは、特別図柄を指示する特別図柄用の停止図柄指定コマンドを出力する。そして、主制御用ＣＰＵ４０ａは、指示した変動パターンに定められている変動時間の経過時に、図柄変動ゲームの終了（図柄の確定停止）を指示する図柄停止コマンドを出力する。また、主制御用ＣＰＵ４０ａは、図柄変動ゲームの開始時に特別図柄用の保留記憶数を１減算（−１）し、特別図柄用の保留記憶数を書き換える。そして、主制御用ＣＰＵ４０ａは、図柄変動ゲームの開始に伴って特別図柄表示装置３０の表示内容を制御する。すなわち、主制御用ＣＰＵ４０ａは、図柄変動ゲームの開始により特別図柄の変動を開始させ、決定した変動パターンに定められている変動時間の経過時に決定した特別図柄（大当り図柄又ははずれ図柄）を確定停止表示させる。
【００５１】
そして、主制御用ＣＰＵ４０ａは、図柄変動ゲーム終了後（図柄停止コマンドの出力後）、インターバル期間（８００ｍｓ）を経たときに保留記憶数が「０（零）」でない場合、始動保留球に基づき次の図柄組み合わせゲームを開始させるための処理を実行する。そして、前記処理の実行後、主制御用ＣＰＵ４０ａは、次の図柄変動ゲームの開始を指示する変動パターン指定コマンドを出力し、当該ゲームを開始させる。なお、次の図柄変動ゲームは、前の図柄変動ゲームの終了後、インターバル期間（８００ｍｓ）を経て開始される。
【００５２】
一方、主制御用ＣＰＵ４０ａは、図柄変動ゲーム終了後（図柄停止コマンドの出力後）、前記インターバル期間を経過しても特別図柄用の保留記憶数が「０（零）」の場合（特別図柄用の保留記憶数が存在しない場合）、待機状態の開始を指示する（生起させる）デモ指定コマンドをサブ統括制御基板４１（統括制御用ＣＰＵ４１ａ）に出力する。主制御用ＣＰＵ４０ａは、保留記憶数が「０」の状態で図柄変動ゲームが終了される保留が途切れる直前の図柄変動ゲームの終了に伴ってデモ指定コマンドをサブ統括制御基板４１（統括制御用ＣＰＵ４１ａ）に出力する。待機状態中は、デモ指定コマンドを入力したサブ統括制御基板４１によってデモ演出の実行制御が行われる。本実施形態では、図柄組み合わせゲームの終了後、次の図柄組み合わせゲーム又は待機状態が開始されるまでの期間がインターバル期間となる。すなわち、本実施形態では、特別図柄用の保留記憶数が存在する場合に図柄変動ゲームを開始させるための処理（大当り判定など）が実行され、特別図柄用の保留記憶数が存在しない場合に図柄変動ゲームを開始させるための処理を行うかわりに待機状態を開始させるための処理（デモ指定コマンドを出力する）が実行されるようになっている。
【００５３】
また、主制御用ＣＰＵ４０ａは、大当りを決定した場合、大当り演出用の変動パターンに基づく図柄変動ゲームの終了後、大当り遊技に係る制御（オープニング演出などの演出指示や大入賞口扉３６開閉動作の制御）を実行する。そして、主制御用ＣＰＵ４０ａは、大当り遊技の終了後、大当り遊技の終了時点の特図保留記憶数が「１」以上の場合、その始動保留球をもとに、次の図柄変動ゲームを開始させる。一方、主制御用ＣＰＵ４０ａは、大当り遊技の終了時点の特図保留記憶数が「０」の場合、待機状態の開始を指示する（生起させる）とともに始動入賞口に遊技球が入球し、始動条件が成立するまで、図柄変動ゲームを実行させることなく、待機する。
【００５４】
なお、本実施形態において、主制御用ＣＰＵ４０ａは、図柄変動ゲームの終了後（図柄停止コマンドの出力後）だけでなく、パチンコ遊技機１０に電源が投入されて図柄変動ゲームを行うことができる状態（通常処理が実行可能な状態）においても、特別図柄用の保留記憶数が「０（零）」の場合（特別図柄用の保留記憶数が存在しない場合）、待機状態の開始を指示する（生起させる）。
【００５５】
次に、サブ統括制御基板４１について説明する。本実施形態では、制御プログラムに基づき以下の各種処理を実行するサブ統括制御基板４１の統括制御用ＣＰＵ４１ａが、デモ演出制御手段、有効期間設定手段及び特別演出制御手段として機能する。
【００５６】
統括制御用ＣＰＵ４１ａは、変動パターン指定コマンドを入力すると、該コマンドを演出表示制御基板４２、及び音声・ランプ制御基板４３に出力する。また、統括制御用ＣＰＵ４１ａは、特別図柄用の停止図柄指定コマンドを入力すると、該コマンドに対応する特別図柄の停止図柄指定に応じて演出表示装置２８に停止表示させる図柄組み合わせを構成する飾り図柄を決定する。また、統括制御用ＣＰＵ４１ａは、図柄停止コマンドを入力すると、該コマンドを演出表示制御基板４２、及び音声・ランプ制御基板４３に出力する。
【００５７】
そして、統括制御用ＣＰＵ４１ａは、変動パターン指定コマンドで指定された変動パターンの種類と停止図柄指定コマンドで指定された停止図柄（特別図柄）の種類から、演出表示装置２８で実行される図柄変動ゲームにおいて導出する飾り図柄の図柄組み合わせを決定する。統括制御用ＣＰＵ４１ａは、大当り演出用の変動パターンが指定され、かつ特別図柄の停止図柄指定が大当り図柄の場合には、最終的に停止表示させる前記図柄組み合わせを構成する飾り図柄として大当り図柄を決定する。
【００５８】
また、統括制御用ＣＰＵ４１ａは、はずれ演出用の変動パターンが指定され、特別図柄の停止図柄指定がはずれ図柄の場合には、最終的に確定停止表示させる前記図柄組み合わせを構成する飾り図柄としてはずれ図柄を決定する。そして、飾り図柄を決定した統括制御用ＣＰＵ４１ａは、飾り図柄を指示する飾り図柄用の停止図柄指定コマンドを演出表示制御基板４２に出力する。
【００５９】
また、統括制御用ＣＰＵ４１ａは、主制御用ＣＰＵ４０ａにより大当り遊技に係るオープニング演出などの演出指示がされる場合に、それら演出指示を演出表示制御基板４２及び音声・ランプ制御基板４３に指示して大当り遊技に係る処理を実行する。
【００６０】
また、統括制御用ＣＰＵ４１ａは、デモ指定コマンドを入力すると、デモ演出の開始を指示するとともに、最初に待機デモ演出の開始を指示する待機デモ指定コマンドを演出表示制御基板４２及び音声・ランプ制御基板４３に出力する。そして、統括制御用ＣＰＵ４１ａは、デモ演出に係る処理を実行する。
【００６１】
次に、統括制御用ＣＰＵ４１ａが実行する内部状態別処理と、ボタン演出処理と、ボタン状態管理処理について、図３〜図５に基づきデモ演出中の処理を中心に詳しく説明する。
【００６２】
本実施形態のパチンコ遊技機１０では、統括制御用ＣＰＵ４１ａが主制御用ＣＰＵ４０ａから各種制御コマンドを入力することにより、内部状態別処理に基づいて図柄変動ゲーム、大当り遊技やデモ演出の遊技状態毎に処理を実行するようになっている。なお、統括制御用ＣＰＵ４１ａは、内部状態別処理を制御周期毎（本実施形態では２ｍｓ毎）に実行するようになっている。
【００６３】
そして、図３に示す内部状態別処理において、統括制御用ＣＰＵ４１ａは、統括制御用ＲＡＭ４１ｃに記憶されている現在の遊技状態を示す内部状態フラグの内容が「デモ演出中」を示す内容であるか否かを判定する（ステップＳ１０）。内部状態フラグには、主制御用ＣＰＵ４０ａにより図柄変動ゲームの開始が指示されて統括制御用ＣＰＵ４１ａが変動パターン指定コマンドを入力する場合に「図柄変動ゲーム中」を示す内容がセット（設定）されるようになっている。また、内部状態フラグには、主制御用ＣＰＵ４０ａにより大当り遊技の開始が指示されて統括制御用ＣＰＵ４１ａがオープニング演出の演出指示を入力する場合に「大当り遊技中」を示す内容がセットされるようになっている。また、内部状態フラグには、主制御用ＣＰＵ４０ａにより待機状態の生起が指示されて統括制御用ＣＰＵ４１ａがデモ指定コマンドを入力する場合に「デモ演出中」を示す内容がセットされるようになっている。
【００６４】
そして、ステップＳ１０の判定結果が否定の場合、統括制御用ＣＰＵ４１ａは、内部状態フラグに「図柄変動ゲーム中」及び「大当り遊技中」のいずれかを示す内容がセットされているので、これらセットされている内容に基づいた処理に移行し（ステップＳ２３）、内部状態別処理を終了する。すなわち、統括制御用ＣＰＵ４１ａは、内部状態フラグの内容が「図柄変動ゲーム中」の場合、図柄変動ゲームに係る処理を実行し、内部状態フラグの内容が「大当り遊技中」の場合、大当り遊技に係る処理を実行するようになっている。そして、ステップＳ２３において、統括制御用ＣＰＵ４１ａは、内部状態フラグの内容に応じた各種処理への移行後、内部状態フラグの内容に応じた各種処理を順次実行する。
【００６５】
一方、ステップＳ１０の判定結果が肯定の場合、統括制御用ＣＰＵ４１ａは、内部状態フラグの内容が「デモ演出中」であるのでデモ演出に係る以下のステップＳ１１〜ステップＳ２２処理を実行する。そして、統括制御用ＣＰＵ４１ａは、統括制御用ＲＡＭ４１ｃに記憶されているボタン状態フラグの内容が「特別演出中」を示す内容であるか否かを判定する（ステップＳ１１）。ボタン状態フラグは、特別演出に関して、特別演出を実行している状態、特別演出を開始し得る状態、特別演出を開始し得ない状態のいずれの状態であるかを示すものである。ボタン状態フラグには、デモ演出中において、特別演出を実行している状態で「特別演出中」を示す内容がセット（設定）され、特別演出を開始し得る特別演出開始待ちの状態で「特別演出開始待ち」を示す内容がセット（設定）され、特別演出を開始し得ない状態で「無効」を示す内容がセット（設定）されるようになっている。なお、本実施形態のパチンコ遊技機１０では、デモ演出中において、ボタン状態フラグの内容が「特別演出中」及び「特別演出開始待ち」のいずれかを示す内容である場合に、ボタン操作有効期間が設定されて演出用ボタン３９の操作が有効となるようになっている。また、本実施形態のパチンコ遊技機１０では、デモ演出中において、ボタン状態フラグの内容が「無効」を示す内容である場合に、演出用ボタン３９の操作が有効とならないようになっている。また、本実施形態のパチンコ遊技機１０では、図柄変動ゲーム中や大当り遊技中において、演出用ボタン３９のボタン操作有効期間を設定する場合、ボタン状態フラグの内容として対応する内容がセットされるようになっており、演出用ボタン３９の操作が有効とならない場合、ボタン状態フラグの内容として「無効」を示す内容をセットする。
【００６６】
そして、ステップＳ１１の判定結果が否定の場合、統括制御用ＣＰＵ４１ａは、統括制御用ＲＡＭ４１ｃに記憶されているデモタイマの内容を減算して更新する（ステップＳ１２）。デモタイマは、待機デモ演出を開始させてからの経過時間と、タイトルデモ演出を開始させてからの経過時間を計測（カウント）するものである。デモタイマでは、待機デモ演出を開始させてから該待機デモ演出を終了させてタイトルデモ演出に移行するまでの第１の所定時間である待機デモ継続時間（本実施形態では「６０（秒）」が経過したか否か（待機デモ継続時間に達したか否か）がカウントされるようになっている。また、デモタイマでは、タイトルデモ演出を開始させてから該タイトルデモ演出を終了させて１回のデモ演出を終了させるとともに、次に待機デモ演出に移行するまでの第２の所定時間であるタイトルデモ継続時間（本実施形態では「２９（秒）」）が経過したか否か（タイトルデモ継続時間に達したか否か）がカウントされるようになっている。すなわち、本実施形態のパチンコ遊技機１０では、待機デモ継続時間１回分（６０（秒））の待機デモ演出とタイトルデモ継続時間１回分（２９（秒））のタイトルデモ演出を１回のデモ演出として実行させるようになっており、待機デモ継続時間１回分とタイトルデモ継続時間１回分を合わせた時間分（８９（秒）＝６０（秒）＋２９（秒））を１回とするデモ演出を実行させるようになっている。また、内部状態フラグの内容が「デモ演出中」である場合（ステップＳ１１の処理時）、統括制御用ＲＡＭ４１ｃには待機デモ継続時間、又はタイトルデモ継続時間のいずれかがセットされている状態であるので、統括制御用ＣＰＵ４１ａは、制御周期である２ｍｓの経過毎にセットされているデモタイマの内容を制御周期分ずつ（２ｍｓずつ）減算して更新するようになっている。なお、統括制御用ＣＰＵ４１ａは、デモ指定コマンドの入力時、デモ演出の開始に伴って最初に待機デモ演出の開始を指示するため、デモタイマに待機デモ継続時間をセット（設定）している。
【００６７】
一方、ステップＳ１１の判定結果が肯定の場合、統括制御用ＣＰＵ４１ａは、ボタン状態フラグの内容が「特別演出中」であるので、統括制御用ＲＡＭ４１ｃに記憶されているデモタイマの内容を更新することなく（ステップＳ１２に移行することなく）内部状態処理を終了する。すなわち、統括制御用ＣＰＵ４１ａは、特別演出の実行中においてはステップＳ１２のデモタイマの更新を行わないようになっている。本実施形態のパチンコ遊技機１０では、デモ演出中であって特別演出の非実行中にのみデモタイマの内容の更新を行い、デモ演出中であって特別演出の実行中にデモタイマの内容の更新を行わないようになっている。
【００６８】
続いて、統括制御用ＣＰＵ４１ａは、ステップＳ１２で減算した更新後のデモタイマの内容が「０（零）」であるか否かを判定する（ステップＳ１３）。この判定結果が否定の場合、統括制御用ＣＰＵ４１ａは、内部状態別処理を終了する。一方、ステップＳ１３の判定結果が肯定の場合、統括制御用ＣＰＵ４１ａは、デモタイマにセットした継続時間分の時間が経過して継続時間分のカウントが終了したので、デモ演出の演出内容を切り替えるため統括制御用ＲＡＭ４１ｃに記憶されているデモフラグの内容が「待機デモ」を示す内容であるか否かを判定する（ステップＳ１４）。デモフラグは、デモ演出として実行中の演出内容が待機デモ演出であるか、又はタイトルデモ演出であるかを示すものである。デモフラグには、デモタイマにおいて待機デモ継続時間のカウント中、すなわち待機デモ演出の実行中に「待機デモ」を示す内容がセットされ、デモタイマにおいてタイトルデモ継続時間のカウント中、すなわちタイトルデモ演出の実行中に「タイトルデモ」を示す内容がセットされるようになっている。なお、統括制御用ＣＰＵ４１ａは、デモ指定コマンドの入力時、デモ演出の開始に伴って最初に待機デモ演出の開始を指示するため、デモフラグに「待機デモ」を示す内容をセット（設定）している。
【００６９】
そして、ステップＳ１４の判定結果が肯定の場合、統括制御用ＣＰＵ４１ａは、統括制御用ＲＡＭ４１ｃのデモフラグに「待機デモ」をセットしているので、実行中の待機デモ演出を終了させてタイトルデモ演出の開始を指示するため、デモフラグの内容に「タイトルデモ」を示す内容をセット（設定）する（ステップＳ１５）。また、統括制御用ＣＰＵ４１ａは、統括制御用ＲＡＭ４１ｃに記憶されているデモタイマにタイトルデモ継続時間をセット（設定）する（ステップＳ１６）。また、統括制御用ＣＰＵ４１ａは、統括制御用ＲＡＭ４１ｃに記憶されているボタン状態フラグの内容に「無効」を示す内容をセット（設定）する（ステップＳ１７）。すなわち、本実施形態のパチンコ遊技機１０では、タイトルデモ演出の実行中には、ボタン操作有効期間が設定されないで、演出用ボタン３９の操作が有効とされないようになっている。また、統括制御用ＣＰＵ４１ａは、タイトルデモ演出の開始を指示するタイトルデモ演出指定コマンドをセットして、該コマンドを所定のタイミングで演出表示制御基板４２及び音声・ランプ制御基板４３に出力する（ステップＳ１８）。そして、統括制御用ＣＰＵ４１ａは、内部状態別処理を終了する。
【００７０】
一方、ステップＳ１４の判定結果が否定の場合、統括制御用ＣＰＵ４１ａは、統括制御用ＲＡＭ４１ｃのデモフラグに「タイトルデモ」をセットしているので、実行中のタイトルデモ演出を終了させて待機デモ演出の開始を指示するため、デモフラグの内容に「待機デモ」を示す内容をセット（設定）する（ステップＳ１９）。また、統括制御用ＣＰＵ４１ａは、統括制御用ＲＡＭ４１ｃに記憶されているデモタイマに待機デモ継続時間をセット（設定）する（ステップＳ２０）。また、統括制御用ＣＰＵ４１ａは、統括制御用ＲＡＭ４１ｃに記憶されているボタン状態管理タイマに有効開始待ち時間をセット（設定）する（ステップＳ２１）。ボタン状態管理タイマは、ボタン操作有効期間に関わる時間を計測するものである。そして、ステップＳ２１において、統括制御用ＣＰＵ４１ａは、ボタン状態管理タイマに待機デモ演出の開始からボタン操作有効期間を設定するまでの有効開始待ち時間（本実施形態では「６（秒）」）をセットするようになっている。本実施形態のパチンコ遊技機１０では、待機デモ演出の開始から有効開始待ち時間の経過後、ボタン操作有効期間が設定されるようになっている。なお、統括制御用ＣＰＵ４１ａは、デモ指定コマンドの入力時、デモ演出の開始に伴って最初に待機デモ演出の開始を指示するため、ボタン状態管理タイムに有効開始待ち時間をセット（設定）している。また、ボタン状態管理タイマには、初期値として「０（秒）」がセット（設定）されるようになっている。また、統括制御用ＣＰＵ４１ａは、待機デモ演出の開始を指示する待機デモ演出指定コマンドをセットして、該コマンドを所定のタイミングで演出表示制御基板４２及び音声・ランプ制御基板４３に出力する（ステップＳ２２）。そして、統括制御用ＣＰＵ４１ａは、内部状態別処理を終了する。
【００７１】
本実施形態のパチンコ遊技機１０では、デモタイマが「０」になる場合（ステップＳ１３の判定結果が肯定の場合）、内部状態別処理のステップＳ１４〜ステップＳ１８、又はステップＳ１４，ステップＳ１９〜ステップＳ２２のいずれかの処理を実行することで、デモ演出の演出内容を切替えるようになっている。したがって、内部状態別処理のステップＳ１４〜ステップＳ１８、又はステップＳ１４，ステップＳ１９〜ステップＳ２２の処理は、各種デモの切替処理となる。
【００７２】
また、本実施形態のパチンコ遊技機１０では、演出用ボタン３９が操作されることにより、統括制御用ＣＰＵ４１ａがボタン演出処理（図４に示す）、及びボタン状態管理処理（図５に示す）に基づいて遊技状態毎に処理を実行するようになっている。なお、統括制御用ＣＰＵ４１ａは、ボタン演出処理、及びボタン状態管理処理を制御周期毎（本実施形態では２ｍｓ毎）に実行するようになっている。
【００７３】
そして、図４に示すボタン演出処理において、統括制御用ＣＰＵ４１ａは、統括制御用ＲＡＭ４１ｃに記憶されているボタン状態フラグの内容が「無効」であるか否かを判定する（ステップＳ３０）。この判定結果が肯定の場合、統括制御用ＣＰＵ４１ａは、ボタン操作有効期間の設定期間でないのでボタン演出処理を終了する。すなわち、統括制御用ＣＰＵ４１ａは、ボタン操作有効期間の設定期間でない場合、演出用ボタン３９が操作されているか否かに拘わらずボタン演出処理のステップＳ３１以下の処理を実行しないようになっており、演出用ボタン３９の操作に関する処理を行わないようになっている。
【００７４】
一方、ステップＳ３０の判定結果が否定の場合、統括制御用ＣＰＵ４１ａは、演出用ボタン３９から操作信号を入力したか否かを判定する（ステップＳ３１）。この判定結果が否定の場合、統括制御用ＣＰＵ４１ａは、演出用ボタン３９が操作されていないので、ボタン演出処理を終了する。一方、ステップＳ３１の判定結果が肯定の場合、統括制御用ＣＰＵ４１ａは、演出用ボタン３９が操作されたので、ボタン状態フラグの内容に応じた演出用ボタン３９の操作に基づく処理を実行するため、統括制御用ＲＡＭ４１ｃに記憶されているボタン状態フラグの内容を確認する。そして、統括制御用ＣＰＵ４１ａは、統括制御用ＲＡＭ４１ｃに記憶されているボタン状態フラグの内容が「特別演出開始待ち」であるか否かを判定する（ステップＳ３２）。この判定結果が肯定の場合、統括制御用ＣＰＵ４１ａは、統括制御用ＲＡＭ４１ｃに記憶されているボタン状態フラグの内容に「特別演出中」を示す内容をセット（設定）する（ステップＳ３３）。本実施形態のパチンコ遊技機１０では、特別演出開始待ちの状態に演出用ボタン３９が操作されることを契機に、特別演出を実行させるようになっている。すなわち、統括制御用ＣＰＵ４１ａは、特別演出開始待ちの状態に演出用ボタン３９が操作されたので、特別演出の開始を指示するため、ボタン状態フラグの内容を「特別演出開始待ち」から「特別演出中」に更新するようになっている。なお、本実施形態において、特別演出の開始待ち状態は、後述するように待機デモ演出中に生起される状態であって、該待機デモ演出の開始から有効開始待ち時間の経過後で特別演出の非実行中であるデモタイマで待機デモ継続時間をカウントしている場合に生起される状態である。
【００７５】
また、統括制御用ＣＰＵ４１ａは、統括制御用ＲＡＭ４１ｃに記憶されているボタン状態管理タイマに特別演出有効時間（本実施形態では「１０（秒）」）をセット（設定）する（ステップＳ３４）。本実施形態のパチンコ遊技機１０では、特別演出の実行中に演出用ボタン３９が操作されることを演出用ボタン３９の操作に基づく終了契機として実行中の特別演出を終了させるようになっている。また、本実施形態のパチンコ遊技機１０では、特別演出を実行させてから演出用ボタン３９の操作に基づく終了契機が訪れることなく特別演出有効時間が経過することを経過時間に基づく終了契機として実行中の特別演出を終了させるようになっている。すなわち、本実施形態では、特別演出の実行後、演出用ボタン３９の操作に基づく終了契機、又は経過時間に基づく終了契機のいずれかの契機の到来を以て実行中の特別演出を終了させるようになっている。
【００７６】
そして、ステップＳ３４でボタン状態管理タイマに特別演出有効時間をセットした統括制御用ＣＰＵ４１ａは、特別演出の開始を指示する特別演出指定コマンドをセットし、該コマンドを所定のタイミングで演出表示制御基板４２、及び音声・ランプ制御基板４３に出力する（ステップＳ３５）。そして、統括制御用ＣＰＵ４１ａは、ボタン演出処理を終了する。
【００７７】
また、ステップＳ３２の判定結果が否定の場合、統括制御用ＣＰＵ４１ａは、統括制御用ＲＡＭ４１ｃに記憶されているボタン状態フラグの内容に応じた各種処理に移行し（ステップＳ３６）、ボタン演出処理を終了する。そして、ステップＳ３６において、統括制御用ＣＰＵ４１ａは、ボタン状態フラグの内容が「特別演出中」である場合、特別演出の実行中に演出用ボタン３９の操作に基づく終了契機が到来したため、特別演出を終了させるための処理を実行するようになっている。そして、統括制御用ＣＰＵ４１ａは、演出用ボタン３９の操作に基づく終了契機の到来時、ボタン状態管理タイマに終了契機用時間（本実施形態では「０．００２（秒）」をセット（設定）する。本実施形態のパチンコ遊技機１０において、演出用ボタン３９の操作に基づく終了契機の到来時には、ボタン状態管理タイマに設定する終了契機用時間として制御周期１回分である０．００２秒（２ｍｓ）をセットし、次のボタン状態管理タイマの更新時にボタン状態管理タイマが「０」になるようになっている。すなわち、本実施形態では、演出用ボタン３９の操作に基づく終了契機の到来時、ボタン状態管理タイマに制御周期１回分である０．００２秒（２ｍｓ）をセットすることで特別演出有効時間分の時間が経過した状態を強制的に作り出すようになっている。また、統括制御用ＣＰＵ４１ａは、図柄変動ゲーム中や大当り遊技中において、演出用ボタン３９のボタン操作有効時間を設定している場合、ボタン状態フラグの内容に対応する内容の演出を実行させるための各種処理を実行するようになっている。そして、ステップＳ３６において、統括制御用ＣＰＵ４１ａは、ボタン状態フラグの内容に応じた各種処理への移行後、ボタン状態フラグの内容に応じた各種処理を順次実行する。
【００７８】
本実施形態のパチンコ遊技機１０では、演出用ボタン３９の操作が有効とされる場合（ステップＳ３１の判定結果が肯定の場合）、ボタン演出処理のステップＳ３２〜ステップＳ３５、又はステップＳ３２，ステップＳ３６のいずれかの処理を実行することで、演出用ボタン３９の操作信号の入力に基づく処理を行うようになっている。したがって、ボタン演出処理のステップＳ３２〜ステップＳ３５、又はステップＳ３２，ステップＳ３６の処理は、演出用ボタン入力時処理となる。
【００７９】
また、図５に示すボタン状態管理処理において、統括制御用ＣＰＵ４１ａは、統括制御用ＲＡＭ４１ｃに記憶されているボタン状態管理タイマが「０（零）」であるか否かを判定する（ステップＳ４０）。この判定結果が肯定の場合、統括制御用ＣＰＵ４１ａは、ボタン状態管理処理を終了する。すなわち、統括制御用ＣＰＵ４１ａは、ボタン状態管理タイマに、有効開始待ち時間や特別演出有効時間や終了契機用時間や図柄変動ゲーム中及び大当り遊技中の処理で設定される時間などの各種時間のいずれもセット（設定）されていない場合にステップＳ４０の判定結果を否定とするようになっている。換言すれば、統括制御用ＣＰＵ４１ａは、演出用ボタン３９の操作に基づく演出に関する処理を行っていない場合に、ステップＳ４０の判定結果を肯定とする。
【００８０】
一方、ステップＳ４０の判定結果が否定の場合、統括制御用ＣＰＵ４１ａは、統括制御用ＲＡＭ４１ｃに記憶されているボタン状態管理タイマの内容を減算して更新する（ステップＳ４１）。すなわち、統括制御用ＣＰＵ４１ａは、ボタン状態管理タイマに、有効開始待ち時間や特別演出有効時間や終了契機用時間や図柄変動ゲーム中及び大当り遊技中の処理で設定される時間などの各種時間がセット（設定）されている場合にステップＳ４０の判定結果を肯定とするようになっている。換言すれば、統括制御用ＣＰＵ４１ａは、演出用ボタン３９の操作に基づく演出に関する処理を行っている場合に、ステップＳ４０の判定結果を否定とする。そして、統括制御用ＣＰＵ４１ａは、制御周期である２ｍｓの経過毎にセットされているデモタイマの内容を制御周期分ずつ（２ｍｓずつ）減算して更新するようになっている。
【００８１】
続いて、統括制御用ＣＰＵ４１ａは、ステップＳ４１で減算した更新後のボタン状態管理タイマが「０（零）」であるか否かを判定する（ステップＳ４２）。この判定結果が否定の場合、統括制御用ＣＰＵ４１ａは、ボタン状態管理処理を終了する。一方、ステップＳ４２の判定結果が肯定の場合、統括制御用ＣＰＵ４１ａは、統括制御用ＲＡＭ４１ｃに記憶されているボタン状態フラグの内容が「無効」を示す内容であるか否かを判定する（ステップＳ４３）。この判定結果が肯定の場合、統括制御用ＣＰＵ４１ａは、ボタン状態フラグの内容が「無効」であるので、ステップＳ４７に移行する。一方、ステップＳ４３の判定結果が否定の場合、統括制御用ＣＰＵ４１ａは、統括制御用ＲＡＭ４１ｃに記憶されているボタン状態フラグの内容が「特別演出中」であるか否かを判定する（ステップＳ４４）。この判定結果が肯定の場合、統括制御用ＣＰＵ４１ａは、ボタン状態フラグの内容が「特別演出中」であるので、実行中の特別演出を終了させた上で特別演出開始待ちの状態に移行するため、特別演出の終了を指示する特別演出終了コマンドをセットし、該コマンドを所定のタイミングで演出表示制御基板４２、及び音声・ランプ制御基板４３に出力する（ステップＳ４６）。そして、統括制御用ＣＰＵ４１ａは、ステップＳ４７に移行する。一方、ステップＳ４４の判定結果が否定の場合、統括制御用ＣＰＵ４１ａは、ボタン状態フラグの内容が図柄変動ゲーム中や大当り遊技中に対応する内容であるので、図柄変動ゲーム中や大当り遊技中に対応する処理に移行し（ステップＳ４５）、ボタン状態管理処理を終了する。そして、ステップＳ４５において、統括制御用ＣＰＵ４１ａは、ボタン状態フラグの内容に応じた各種処理への移行後、ボタン状態フラグの内容に応じた各種処理を順次実行する。
【００８２】
一方、ステップＳ４３の判定結果が肯定の場合、及びステップＳ４４の判定結果が肯定の場合（ステップＳ４６を経由して）にステップＳ４７に移行した統括制御用ＣＰＵ４１ａは、統括制御用ＲＡＭ４１ｃに記憶されているボタン状態フラグの内容に「特別演出開始待ち」を示す内容をセット（設定）することで、特別演出開始待ちの状態に移行し、ボタン状態管理処理を終了する。
【００８３】
本実施形態において、ステップＳ４３の判定結果が肯定であることでステップＳ４７に移行する場合には、ボタン状態フラグの内容が「無効」であって、ボタン状態管理タイマに「有効開始待ち時間」がセットされていたため、特別演出開始待ちの状態に移行するようになっている。また、ステップＳ４４の判定結果が肯定であることで（ステップＳ４６を経由して）ステップＳ４７に移行する場合には、ボタン状態フラグの内容が「特別演出中」であって、ボタン状態管理タイマに「特別演出有効時間」又は「終了契機用時間」のいずれかがセットされていたため、特別演出を終了させて再び特別演出開始待ちの状態に移行するようになっている。したがって、本実施形態では、待機デモ演出の開始から有効開始待ち時間が経過する場合と、特別演出の実行中に演出用ボタン３９の操作に基づく終了契機、又は経過時間に基づく終了契機のいずれかの到来時に特別演出開始待ちの状態を生起させて該特別演出開始待ちの状態に移行するようになっている。なお、タイトルデモ演出の実行中においては、ボタン状態フラグの内容が「無効」であるものの、ボタン状態管理タイマの内容が「０（零）」であるので、ボタン状態管理処理のステップＳ４０を肯定判定することでステップＳ４１以降の処理を行わないためタイトルデモ演出の実行中に特別演出開始待ちの状態に移行しないようになっている。
【００８４】
このように各種処理が実行される本実施形態のパチンコ遊技機１０では、特別演出の実行指示を契機に、統括制御用ＣＰＵ４１ａが内部状態別処理のステップＳ１１を肯定判定する状態に移行するようになっている。そして、本実施形態では、特別演出の実行中、統括制御用ＣＰＵ４１ａがデモ演出中であっても内部状態別処理のステップＳ１１を肯定判定することで、特別演出が終了されるまでデモタイマで計測中の計測時間の更新が中断されて更新されないようになっている。このため、特別演出の実行中、デモタイマの内容は、特別演出の実行指示時の状態が保持される。また、デモタイマの中断中は、統括制御用ＣＰＵ４１ａが内部状態別処理のステップＳ１２以降の処理を実行しないので、特別演出の実行中にデモ演出の演出内容が切替えられたり待機デモ演出に復帰したりしないようになっている。
【００８５】
一方、特別演出の終了指示を契機に、統括制御用ＣＰＵ４１ａが内部状態別処理のステップＳ１１を否定判定する状態に移行するようになっている。そして、本実施形態では、特別演出が終了する場合、統括制御用ＣＰＵ４１ａが内部状態別処理のステップＳ１１を否定判定することで、特別演出開始前におけるデモタイマで計測中の計測時間の更新が可能な状態に復帰するようになっている。その結果、本実施形態では、特別演出が終了する場合、特別演出の実行中に保持している内容（特別演出開始時の内容）からデモタイマで計測中の計測時間の更新が再開されるようになっている。
【００８６】
また、統括制御用ＣＰＵ４１ａは、内部状態別処理においては途中に特別演出が実行されることで、デモタイマの更新が中断されたか否かに拘わらずデモタイマの内容が「０（零）」となる場合に各種デモ切替処理を実行するようになっている。このため、統括制御用ＣＰＵ４１ａは、待機状態中において待機デモ演出を開始させた場合、デモタイマで常に待機デモ継続時間分のカウントが終了する場合に、待機デモ演出からタイトルデモ演出に演出内容を移行させる。また、統括制御用ＣＰＵ４１ａは、待機状態中においてデモタイマで常に待機デモ継続時間と、タイトルデモ継続時間を合わせた分の１回のデモ演出の実行指示を行うようになっている。したがって、本実施形態のパチンコ遊技機１０では、常に待機デモ継続時間分の待機デモ演出が実行されるとともに、常に待機デモ継続時間とタイトルデモ継続時間を合わせた分を１回とするデモ演出が実行されるようになっている。すなわち、待機デモ演出からタイトルデモ演出に移行する間に実行される待機デモ演出の演出時間が常に一定の待機デモ継続時間となるとともに、タイトル演出から待機デモ演出に移行する間に実行されるタイトルデモ演出の演出時間が常に一定のタイトルデモ継続時間となる。また、本実施形態では、特別演出の実行中に演出用ボタン３９の操作に基づく終了契機の到来時であっても、即座にボタン状態フラグの内容を「特別演出中」から「特別演出開始待ち」に更新することで、特別演出の終了契機が不定期に訪れる場合でも直ちにデモタイマの更新を再開させて復帰させるようになっている。
【００８７】
次に、演出表示制御基板４２について説明する。本実施形態では、制御プログラムに基づき以下の各種処理を実行する演出表示制御基板４２の表示制御用ＣＰＵ４２ａが、デモ演出制御手段及び特別演出制御手段として機能する。
【００８８】
演出表示制御基板４２の表示制御用ＣＰＵ４２ａは、変動パターン指定コマンドを入力すると、当該コマンドに指示される変動パターンに対応する演出内容（変動内容）を選択し、該演出内容で図柄変動ゲームを行わせるように演出表示装置２８の表示内容を制御する。そして、表示制御用ＣＰＵ４２ａは、図柄変動ゲーム中に図柄停止コマンドを入力すると、飾図用の停止図柄指定コマンドで指示された飾り図柄を演出表示装置２８に確定停止表示させるように表示内容を制御し、図柄変動ゲームを終了させる。また、表示制御用ＣＰＵ４２ａは、大当り遊技の演出指示がされる場合に、大当り遊技演出を実行するように演出表示装置２８の表示内容を制御する。
【００８９】
また、表示制御用ＣＰＵ４２ａは、待機デモ指定コマンドを入力すると、該コマンドに基づき待機デモ演出用の画像データによる待機デモ演出を実行するように演出表示装置２８の表示内容を制御する。また、表示制御用ＣＰＵ４２ａは、タイトルデモ指定コマンドを入力すると、該コマンドに基づきタイトルデモ演出用の画像データに基づくタイトルデモ演出を実行するように演出表示装置２８の表示内容を制御する。また、表示制御用ＣＰＵ４２ａは、特別演出指定コマンドを入力すると、該コマンドに基づき特別演出用の特別画像データによる特別演出を実行させるように演出表示装置２８の表示内容を制御する。なお、表示制御用ＣＰＵ４２ａは、特別画像を出現させて特別演出を実行させるに際し、実行中の待機デモ演出の代わりに画像表示部ＧＨの一面に特別画像を出現させる態様で特別演出を実行させるように演出表示装置２８の表示内容を制御する。また、表示制御用ＣＰＵ４２ａは、特別演出終了コマンドを入力すると、該コマンドに基づき特別画像を非表示にして実行中の特別演出を終了させるように演出表示装置２８の表示内容を制御する。なお、表示制御用ＣＰＵ４２ａは、特別演出を終了させるに際し、実行中の特別演出の代わりに画像表示部ＧＨの一面に待機デモ演出用の画像を出現させる態様で待機デモ演出を実行させるように演出表示装置２８の表示内容を制御する。
【００９０】
次に、音声・ランプ制御基板４３について説明する。本実施形態では、制御プログラムに基づき以下の各種処理を実行する音声・ランプ制御基板４３の音声・ランプ制御用ＣＰＵ４３ａが、デモ演出制御手段及び特別演出制御手段として機能する。
【００９１】
音声・ランプ制御基板４３の音声・ランプ制御用ＣＰＵ４３ａは、変動パターン指定コマンドを入力すると、当該コマンドに指示される変動パターンに対応する演出内容を選択し、該演出内容で音声演出及び発光演出を行わせるようにスピーカ２０，２１，２５及び各種ランプ部１７〜１９，２７ｂの音出力態様及び発光態様を制御する。そして、音声・ランプ制御用ＣＰＵ４３ａは、図柄変動ゲーム中に図柄停止コマンドを入力すると、音声演出及び発光演出を停止させるようにスピーカ２０，２１，２５及び各種ランプ部１７〜１９，２７ｂの音出力態様及び発光態様を制御する。また、音声・ランプ制御用ＣＰＵ４３ａは、大当り遊技の演出指示がされる場合に、大当り遊技用の音出力パターン、及び発光パターンでスピーカ２０，２１，２５及び各種ランプ部１７〜１９，２７ｂの音出力態様及び発光態様を制御する。
【００９２】
また、音声・ランプ制御用ＣＰＵ４３ａは、待機デモ指定コマンドを入力すると、該コマンドに基づき待機デモ演出用の音出力パターン及び発光パターンによる待機デモ演出を実行するようにスピーカ２０，２１，２５及び各種ランプ部１７〜１９，２７ｂの音出力態様及び発光態様を制御する。また、音声・ランプ制御用ＣＰＵ４３ａは、タイトルデモ指定コマンドを入力すると、該コマンドに基づくタイトルデモ演出用の音出力パターン及び発光パターンによるタイトルデモ演出を実行するようにスピーカ２０，２１，２５及び各種ランプ部１７〜１９，２７ｂの音出力態様及び発光態様を制御する。また、音声・ランプ制御用ＣＰＵ４３ａは、特別演出指定コマンドを入力すると、該コマンドに基づき特別演出用の音出力パターン及び発光パターンによる特別演出を実行するようにスピーカ２０，２１，２５及び各種ランプ部１７〜１９，２７ｂの音出力態様及び発光態様を制御する。また、音声・ランプ制御用ＣＰＵ４３ａは、特別演出終了コマンドを入力すると、該コマンドに基づき特別演出を終了させて待機デモ演出用の音出力パターン及び発光パターンによる特別演出を実行するようにスピーカ２０，２１，２５及び各種ランプ部１７〜１９，２７ｂの音出力態様及び発光態様を制御する。
【００９３】
次に、待機状態中において（内部状態フラグの内容が「デモ演出中」の場合において）、統括制御用ＣＰＵ４１ａが内部状態別処理、ボタン演出処理及びボタン状態管理処理を行うことによるデモ演出及び特別演出の実行態様について演出表示装置２８の表示演出を中心に図６に基づき説明する。
【００９４】
図６（ａ）は、デモ演出中に特別演出が実行されない場合の態様を示している。また、図６（ａ）では、時点Ａ１で統括制御用ＣＰＵ４１ａがデモ指定コマンドを入力して待機デモ演出の開始を指示する場合を示している。また、図６（ｂ）は、デモ演出中に特別演出が実行され、該特別演出が経過時間に基づく終了契機の到来で終了される場合の態様を示している。また、図６（ｂ）では、時点Ｂ１で統括制御用ＣＰＵ４１ａがデモ指定コマンドを入力して待機デモ演出の開始を指示する場合を示している。なお、図６（ａ），（ｂ）では、待機状態が生起されてから図柄変動ゲームの始動条件が成立することなく、該待機状態が継続されていることを前提としている。
【００９５】
図６（ａ）に示すように、統括制御用ＣＰＵ４１ａがデモ指定コマンドを入力する時点Ａ１では、デモフラグに「待機デモ」、デモタイマに「待機デモ継続時間」、ボタン状態管理タイマに「有効開始待ち時間」がそれぞれセットされ、待機デモ演出の開始が指示される。なお、ボタン状態フラグには、「無効」がセットされている。また、演出表示装置２８では、待機デモ演出が開始される。
【００９６】
また、時点Ａ１から有効開始待ち時間に相当する経過時間Ｔ１が経過する時点Ａ２では、ボタン状態フラグに「特別演出開始待ち」がセットされ、特別演出開始待ちの状態に移行するとともにボタン操作有効期間が設定される。また、演出表示装置２８では、継続的に待機デモ演出が実行されている。
【００９７】
また、時点Ａ１から待機デモ継続時間に相当する経過時間Ｔ２が経過すると時点Ａ３では、デモフラグに「タイトルデモ」、デモタイマに「タイトルデモ継続時間」、ボタン状態フラグに「無効」がそれぞれセットされ、タイトルデモ演出の実行が指示されるとともにボタン操作有効期間が終了される。また、演出表示装置２８では、時点Ａ１〜時点Ａ３において継続的に待機デモ演出が実行されて、時点Ａ３の到来時、待機デモ演出に代わってタイトルデモ演出が開始される。
【００９８】
また、時点Ａ３からタイトルデモ継続時間に相当する経過時間Ｔ３が経過する時点Ａ４では、デモフラグに「待機デモ」、デモタイマに「待機デモ継続時間」、ボタン状態管理タイマに「有効開始待ち時間」がそれぞれセットされ、待機デモ演出の実行が指示される。なお、ボタン状態フラグには、「無効」がセットされている。また、演出表示装置２８では、時点Ａ３〜時点Ａ４において継続的にタイトルデモ演出が実行されて、時点Ａ４の到来時、タイトルデモ演出に代わって待機デモ演出が開始される。また、時点Ａ４以降においては、時点Ａ１〜時点Ａ４と同じ態様でこれら時点Ａ１〜時点Ａ４の工程が繰り返し実行されるようになっている。また、演出表示装置２８では、時点Ａ１〜時点Ａ４と同じ態様で待機デモ演出とタイトルデモ演出が交互に実行される。
【００９９】
また、図６（ｂ）に示すように、統括制御用ＣＰＵ４１ａがデモ指定コマンドを入力する時点Ｂ１では、デモフラグに「待機デモ」、デモタイマに「待機デモ継続時間」、ボタン状態管理タイマに「有効開始待ち時間」がそれぞれセットされ、待機デモ演出の開始が指示される。なお、ボタン状態フラグには、「無効」がセットされている。また、演出表示装置２８では、待機デモ演出が開始される。
【０１００】
また、時点Ｂ１から有効開始待ち時間に相当する経過時間Ｔ１が経過する時点Ｂ２では、ボタン状態フラグに「特別演出開始待ち」がセットされ、特別演出開始待ちの状態に移行するとともにボタン操作有効期間が設定される。また、演出表示装置２８では、継続的に待機デモ演出が実行されている。
【０１０１】
また、時点Ｂ１から経過時間Ｔ１の経過後であって経過時間Ｔ２が経過するまでの間の経過時間Ｔ２ａが経過する時点Ｂ３では、演出用ボタン３９が操作されることを契機にボタン状態フラグに「特別演出中」がセットされるとともに、特別演出の実行が指示される。さらに、時点Ｂ３から特別演出有効時間に相当する経過時間Ｔ４が経過する時点Ｂ４では、ボタン状態フラグに「特別演出開始待ち」がセットされるとともに、特別演出の終了が指示される。また、演出表示装置２８では、時点Ｂ１〜時点Ｂ３において継続的に待機デモ演出が実行されて、時点Ｂ３の到来時、待機デモ演出に代わって特別演出が開始される。また、演出表示装置２８では、時点Ｂ３〜時点Ｂ４において継続的に特別演出が実行されて、時点Ｂ４の到来時、特別演出に代わって待機デモ演出が開始される。
【０１０２】
そして、時点Ｂ４から経過時間Ｔ２ａと合わせて経過時間Ｔ２となる経過時間Ｔ２ｂ（＝経過時間Ｔ２−経過時間Ｔ２ａ）が経過する時点Ｂ５では、時点Ｂ１から特別演出中の経過時間Ｔ４を除いて待機デモ継続時間に相当する経過時間Ｔ２が経過したので、デモフラグに「タイトルデモ」、デモタイマに「タイトルデモ継続時間」、ボタン状態フラグに「無効」がそれぞれセットされ、タイトルデモ演出の実行を指示するとともにボタン操作有効期間が終了される。また、演出表示装置２８では、時点Ｂ４〜時点Ｂ５において継続的に待機デモ演出が実行されて、時点Ｂ５の到来時、待機デモ演出に代わってタイトルデモ演出が開始される。すなわち、演出表示装置２８では、時点Ｂ３〜時点Ｂ４の経過時間Ｔ４の間に特別演出が実行されるものの、時点Ｂ１〜時点Ｂ３の経過時間Ｔ２ａと、時点Ｂ４〜時点Ｂ５の経過時間Ｔ２ｂを合わせた経過時間Ｔ２分の待機デモ演出が実行されたこととなる。さらに、演出表示装置２８では、時点Ｂ１〜時点Ｂ３と時点Ｂ４〜時点Ｂ５を合わせた経過時間Ｔ２分の待機デモ演出と、経過時間Ｔ３分のタイトルデモ演出とからなる１回のデモ演出が実行されたこととなる。すなわち、図６（ａ），（ｂ）に示すように、特別演出が実行されるか否かに拘わらず同じ時間分のデモ演出（待機デモ演出とタイトルデモ演出）が実行されることとなる。
【０１０３】
また、時点Ｂ５以降においては、図６（ａ）の時点Ａ１〜時点Ａ４と同じ態様でこれら時点Ａ１〜時点Ａ４の工程が繰り返し実行されるようになっている。また、演出表示装置２８では、図６（ａ）の時点Ａ１〜時点Ａ４と同じ態様で待機デモ演出とタイトルデモ演出が交互に実行される。なお、特別演出開始待ちの状態で演出用ボタン３９が操作される場合には、時点Ｂ３〜時点Ｂ６の工程が実行される。
【０１０４】
したがって、本実施形態によれば、以下に示す効果を得ることができる。
（１）デモ演出の実行中、特別演出が実行される場合には、デモタイマで計測中の計測時間の計測を中断させることで、特別演出の実行途中でデモ演出が切替えられたりすることで各種デモ演出が新たに開始されたりすることがないようにした。そして、特別演出の終了を契機にデモタイマで計測中の計測時間の計測を中断時の状態に復帰させて再開することで、タイトルデモ演出に移行するまでの期間が間延びしてしまうことを防止するようにした。すなわち、特別演出の実行に伴いタイトルデモ演出に移行するまでの時間を再設定するといった工程や、特別演出の種類に応じてタイトルデモ演出に移行するまでの時間を再設定するなどの工程が不要となるとともに、特別演出の実行に伴い時間を再設定することでタイトルデモ演出に移行するまでの期間の間延びが発生しないようにした。その結果、１回のデモ演出を遊技者に見せる時間を、特別演出が行われるか否かに拘わらず常に一定とすることができ、デモ演出全体を使って一連の演出を行うデモ演出の目的を反映させることができる。したがって、デモ演出中に演出用ボタン３９の遊技者の操作を契機に特別演出を実行可能なパチンコ遊技機において、デモ演出の目的を反映させつつ特別演出を実行することが可能となる。
【０１０５】
（２）特別演出は、待機デモ演出の実行中に実行され得るようにした。このため、タイトルデモ演出の演出途中で特別演出が実行されることで、タイトルデモ演出に関しては、該タイトルデモ演出を途切れることなく遊技者に見せることができる。したがって、デモ演出の中でも、タイトルデモ演出における目的をより確実に反映させることができる。
【０１０６】
（３）特別演出の実行中の演出用ボタン３９の操作に基づく終了契機により該特別演出を終了させる構成においては、特別演出の終了が不定となり、特別演出の実行時にタイトルデモ演出に移行するまでの時間を再設定する方法によりタイトルデモ演出に移行するまでの期間の間延びを防いで、デモ演出の目的を好適に反映させることは困難である。その一方で、特別演出の終了が不定の場合であっても、特別演出が実行される場合には、デモタイマで計測中の計測時間の計測を中断させて特別演出の終了時に計測を直ちに再開させることで、タイトルデモ演出に移行するまでの期間の間延びを防いでデモ演出の目的を好適に反映させることができる。
【０１０７】
（４）特別演出の実行中の演出用ボタン３９の操作に基づく終了契機、又は継続時間に基づく終了契機のいずれかの終了経過が到来する場合に特別演出を終了させるように構成することで、特別演出実行中に演出用ボタン３９の操作に基づく終了契機が訪れないで特別演出が終了されない状態の発生を防ぐことができる。その一方で、特別演出の実行から継続時間に基づく終了契機の到来前に演出用ボタン３９の操作に基づく終了契機が訪れる場合には、特別演出の終了が不定となる。このように特別演出の終了が不定の場合であっても、特別演出が実行される場合には、デモタイマで計測中の計測時間の計測を中断させて特別演出の終了時に計測を再開させることで、タイトルデモ演出に移行するまでの期間の間延びを防いでデモ演出の目的を好適に反映させることができる。
【０１０８】
（５）デモ演出に関する内部状態別処理、ボタン演出処理及びボタン状態管理処理は、始動保留球が存在しない場合に図柄変動ゲームに関する処理を行う必要がない主制御基板４０の主制御用ＣＰＵ４０ａとは異なるサブ統括制御基板４１の統括制御用ＣＰＵ４１ａで行われるように構成した。このため、各種処理の制御負担が一箇所に集中することを防止、各種処理による制御負担を分散させることで、特別演出を実行可能に構成する場合であっても、各制御基板４０，４１の個々の負担を軽減することができる。
【０１０９】
（６）待機デモ演出は、図柄変動ゲームで変動する図柄による図柄変動ゲームの延長上に位置付けされる演出である。このため、図柄変動ゲームの終了後、待機デモ演出の開始と同時に演出用ボタン３９が操作されることで特別演出が実行されてしまうと、図柄変動ゲームが終了しているにも拘わらず図柄変動ゲームが継続しているかのような誤解を遊技者に与えてしまう可能性がある。したがって、特別演出を実行し得る特別演出開始待ちの状態は、待機デモ演出の開始時、直ちにボタン操作有効期間を設定するのではなく有効開始待ち時間の経過後にボタン操作有効期間を設定されるようにした。すなわち、特別演出と図柄変動ゲームとは種類が異なるものであることを遊技者に明確にすることができる。
【０１１０】
（７）ボタン状態フラグに「無効」をセットしている場合には、ボタン演出処理のステップＳ３０を肯定判定して演出用ボタン３９の操作に基づく一切の処理を行わないようにした。また、ボタン操作有効期間の設定後、ボタン操作有効期間が終了される場合には、内部状態別処理のステップＳ１７のようにボタン状態フラグに「無効」をセットすることで、ボタン演出処理のステップＳ３０を肯定判定して演出用ボタン３９の操作に基づく一切の処理を行わなくてよい。したがって、演出用ボタン３９に基づき演出を行うようなパチンコ遊技機１０においても、ボタン操作有効期間が設定されているか否かに拘わらず演出用ボタン３９が操作される場合であっても、統括制御用ＣＰＵ４１ａの処理負担の増加を防止することができる。
【０１１１】
なお、上記実施形態は以下のように変更してもよい。
・本実施形態は、１回の特別演出開始待ちの状態において（ボタン状態フラグの内容が「特別演出開始待ち」の場合）、演出用ボタン３９の操作回数に上限（上限操作回数）を設けるようにしてもよい。例えば、上限操作回数を１回にする場合には、１回の特別演出開始待ちの状態で１回の特別演出の実行のみを許容することとなる。また、特別演出開始待ちの状態における演出用ボタン３９の上限操作回数は、待機状態が生起されてから次に図柄変動ゲームが実行されるまでを１回とする１回の待機状態中を対象とするものであってもよい。このような構成によれば、特別演出開始待ちの状態や待機状態においては、上限操作回数以上の演出用ボタン３９の操作を許容しない。したがって、遊技者にむやみやたらに演出用ボタン３９を使用させることを抑制することができる。
【０１１２】
・本実施形態は、特別演出の終了契機として演出用ボタン３９の操作に基づく終了契機、及び経過時間に基づく終了契機のいずれか一方のみを終了契機とすることもできる。
・本実施形態は、演出用ボタン３９の操作に基づく終了契機を、演出用ボタン３９が所定回数操作されるように、特定の操作がされた場合にのみ特別演出を終了させるように構成することもできる。
【０１１３】
・本実施形態は、演出用操作手段として選択用ボタンと決定用ボタンの２つの演出用ボタンを設け、特別演出で複数種類のキャラクタから１つのキャラクタを選択用ボタンの操作により選択して決定用ボタンの操作により決定して特別演出を終了させるような構成を採用することもできる。すなわち、決定用ボタンの操作が演出用ボタンの操作に基づく終了契機となる。そして、特別演出の実行後の図柄変動ゲームにおいては、特別演出で選択したキャラクタを題材（モチーフ）とした背景や図柄による演出モードで図柄変動ゲームが行われるようにすることもできる。
【０１１４】
・本実施形態は、経過時間に基づく終了契機となる特別演出有効時間を例えば１０（秒）未満などに任意に変更してもよい。
・本実施形態は、タイトルデモ演出中に特別演出開始待ちの状態を生起させるようにすることもできる。すなわち、特別演出開始待ちの状態は、デモ演出の一部又は全部で設定されるようにしてもよい。この場合、特別演出の実行に伴って各種デモ演出を一旦停止させ、特別演出の終了後においては、一旦停止させていた各種デモ演出の最初から実行させることもできる。
【０１１５】
・本実施形態は、特別演出の演出態様を、特別画像用の画像データを複数種類用意して、特別演出で複数種類の中から１つの特別画像を出現させるような態様とすることもできる。また、特別演出では、待機デモ演出やタイトルデモ演出と異なる演出であればよく、パチンコ遊技機１０で出現するリーチ演出の種類を紹介したり、図柄変動ゲームの変動回数や大当り当選回数などのゲームに係る履歴情報を表示するようにすることもできる。
【０１１６】
・本実施形態は、待機デモ演出を画像表示部ＧＨに表示させつつ画像表示部ＧＨの一部を用いて特別演出を行うようにしてもよい。このような構成であっても、デモタイマで計測中の計測時間の計測を中断させることで、特別演出中に各種デモ演出が切替えられたりすることを防止することができる。
【０１１７】
・本実施形態において表示制御用ＣＰＵ４２ａや音声・ランプ制御用ＣＰＵ４３ａは、特別演出の開始が指示される場合に、実行中の待機デモ演出を一旦停止させて特別演出を実行させて、該特別演出の終了後に該一旦停止させていた時点から待機デモ演出を復帰させるようにしてもよい。この場合、音声・ランプ制御用ＣＰＵ４３ａは、待機デモ演出の一旦停止に伴い実行中の待機デモ演出を開始させてからの経過時間などの演出情報をバックアップするバックアップ処理を実行し、タイトルデモ演出の復帰時、該バックアップ処理による演出情報に基づき復帰させる。また、表示制御用ＣＰＵ４２ａや音声・ランプ制御用ＣＰＵ４３ａは、特別演出の開始が指示される場合に、実行中の待機デモ演出を一旦停止させて特別演出を実行させて、該特別演出の終了後に待機デモ演出の最初から待機デモ演出を復帰させるようにしてもよい。
【０１１８】
・本実施形態は、図柄変動ゲームの終了と同時に待機状態を生起するように構成してもよい。
・本実施形態は、特別演出を演出表示装置２８による表示演出のみで実行する構成を採用することもできる。
【０１１９】
次に、上記実施形態及び別例から把握できる技術的思想を以下に追記する。
（イ）前記有効期間設定手段は、前記待機状態において、該待機状態が生起されてからの前記演出用操作手段の操作回数が予め定めた操作上限回数に達していないときに前記演出用操作手段の操作を許容することを特徴とする遊技機。
【図面の簡単な説明】
【０１２０】
【図１】パチンコ遊技機の機前面側を示す正面図。
【図２】制御構成を示すブロック図。
【図３】内部状態別処理を示すフローチャート。
【図４】ボタン演出処理を示すフローチャート。
【図５】ボタン状態管理処理を示すフローチャート。
【図６】（ａ）は、特別演出が実行されない場合のデモ演出の態様を示す模式図、（ｂ）は、特別演出が実行される場合のデモ演出の態様を示す模式図。
【符号の説明】
【０１２１】
ＴＲ（ＴＨＲａ，ＴＲｂ，ＴＲｃ，ＴＲｄ）…特図保留記憶数表示部、ＳＷ１…上始動口スイッチ、ＳＷ２…下始動口スイッチ、Ｔ１〜Ｔ４，Ｔ２ａ，Ｔ２ｂ…経過時間、ＹＢ…遊技盤、１０…パチンコ遊技機、１７…上側枠用ランプ部、１８…左側枠用ランプ部、１９…右側枠用ランプ部、２０…左スピーカ、２１…右スピーカ、２５…下スピーカ、２７ｂ…盤用ランプ部、２８…演出表示装置、３０…特別図柄表示装置、３３…上始動入賞口、３４…下始動入賞口、３９…演出用ボタン、４０…主制御基板、４０ａ…主制御用ＣＰＵ、４０ｂ…主制御用ＲＯＭ、４０ｃ…主制御用ＲＡＭ、４１…サブ統括制御基板、４１ａ…統括制御用ＣＰＵ、４１ｂ…統括制御用ＲＯＭ、４１ｃ…統括制御用ＲＡＭ、４２…演出表示制御基板、４２ａ…表示制御用ＣＰＵ、４２ｂ…表示制御用ＲＯＭ、４２ｃ…表示制御用ＲＡＭ、４３…音声・ランプ制御基板、４３ａ…音声・ランプ制御用ＣＰＵ、４３ｂ…音声・ランプ制御用ＲＯＭ、４３ｃ…音声・ランプ制御用ＲＡＭ。
【図１】
0005140480.tif 000002
【図２】
0005140480.tif 000003
【図３】
0005140480.tif 000004
【図４】
0005140480.tif 000005
【図５】
0005140480.tif 000006
【図６】
0005140480.tif 000007